(57)【要約】【課題】画角が一定の場合であっても、撮影が単調になることのない写真シール作成装置、写真シール作成方法及び写真シール作成処理プログラムを提供すること。【解決手段】カメラ９１によって利用者を被写体として撮影する撮影部２２０と、撮影された画像を表示する表示部９２と、表示部９２により表示された画像を出力する出力部１４０と、を備えた写真シール作成装置１であって、撮影部２２０は、複数回の撮影を所定の撮影間隔で連続的に行うように設定され、同じ画角での撮影における撮影間隔を変更する変更部３０２を備える。【選択図】図１２
2020021004.tif 000002
【特許請求の範囲】
【請求項１】
カメラによって利用者を被写体として撮影する撮影部と、
撮影された画像を表示する表示部と、
前記表示部により表示された画像を出力する出力部と、を備えた写真シール作成装置であって、
前記撮影部は、複数回の撮影を所定の撮影間隔で連続的に行うように設定され、
同じ画角での撮影における前記撮影間隔を変更する変更部を備える、
ことを特徴とする写真シール作成装置。
【請求項２】
前記撮影部は、撮影の残り回数を計測する計測部を備え、
前記変更部は、前記計測部により計測した残り回数がＮ回（Ｎ≧１）になった場合に、前記撮影間隔の変更を行う、
ことを特徴とする請求項１に記載の写真シール作成装置。
【請求項３】
前記撮影部は、前記画角の変更が可能であり、
前記変更部は、前記画角が変更された後の撮影における前記撮影間隔を変更する、
ことを特徴とする請求項１に記載の写真シール作成装置。
【請求項４】
カメラによって利用者を被写体として撮影する撮影部と、
撮影された画像を表示する表示部と、
前記表示部により表示された画像を出力する出力部を備えた写真シール作成装置であって、
前記撮影部は、複数回の撮影を所定の撮影間隔で連続的に行うように設定され、
画角が変更された後の撮影における前記撮影間隔を変更する変更部を備える、
ことを特徴とする写真シール作成装置。
【請求項５】
前記撮影部は、ズームレンズを回転することにより、前記画角を変更する、
ことを特徴とする請求項３または請求項４に記載の写真シール作成装置。
【請求項６】
前記撮影部は、電子ズームにより、前記画角を変更する、
ことを特徴とする請求項３または請求項４に記載の写真シール作成装置。
【請求項７】
カメラによって利用者を被写体として撮影するステップと、
撮影された画像を表示するステップと、
表示された画像を出力するステップとを備えた写真シール作成装置の制御方法であって、
前記撮影するステップは、
複数回の撮影を所定の撮影間隔で連続的に行うステップと、
同じ画角での撮影における前記撮影間隔を変更するステップと、を備える、
ことを特徴とする写真シール作成装置の制御方法。
【請求項８】
カメラによって利用者を被写体として撮影するステップと、
撮影された画像を表示するステップと、
表示された画像を出力するステップとを備えた写真シール作成装置の制御方法であって、
前記撮影するステップは、
複数回の撮影を所定の撮影間隔で連続的に行うようステップと、
画角が変更された後の撮影における前記撮影間隔を変更するステップと、を備える、
ことを特徴とする写真シール作成装置の制御方法。
【請求項９】
写真シール作成装置において実行可能な写真シール作成処理プログラムであって、前記写真シール作成処理プログラムは、前記写真シール作成装置のコンピュータを、
カメラによって利用者を被写体として撮影する撮影部、
撮影された画像を表示する表示部、
前記表示部により表示された画像を出力する出力部、として機能させ、
前記撮影部は、複数回の撮影を所定の撮影間隔で連続的に行うように設定され、
同じ画角での撮影における前記撮影間隔を変更する変更部を備える、
ことを特徴とする写真シール作成処理プログラム。
【発明の詳細な説明】
【技術分野】
【０００１】
本発明は、撮影した画像に所定の画像を合成した合成画像をシール紙に印刷する写真シール作成装置に関する。
【背景技術】
【０００２】
従来、撮影ブースにおいて利用者（被写体）を撮影し、撮影した画像を編集してシール紙に印刷し、写真シールとして利用者に提供する写真シール作成装置が知られている（例えば、特許文献１参照）。
【０００３】
特許文献１においては、自動連写モードにより７回連続して撮影が行われるが、撮影の際には、音楽の再生が行われる。音楽の再生のテンポは、一定ではなく、徐々に速くなっていく。そして、テンポの速さに応じて、撮影間隔が徐々に短くなる
【０００４】
初めの３回は、撮影間隔が十分にあり、正面カメラのみで撮影が行われるが、残りの４回は撮影間隔が蓄電器の充電期間よりも短いために正面カメラと上カメラとを交互に使用して撮影する。
【先行技術文献】
【特許文献】
【０００５】
【特許文献１】特開２００８−９０１８６号公報
【発明の概要】
【発明が解決しようとする課題】
【０００６】
しかしながら、特許文献１においては、正面カメラと上カメラとを交互に使用する構成であり、構成が複雑となる。このような２つのカメラを備えおらず、１つのカメラで利用者の上半身だけを撮影する画角が一定の写真シール作成装置においては、撮影枚数が多くなると、撮影が単調となり、利用者が飽きてしまうことがあった。
【０００７】
本発明は、以上のような課題を解決し、画角が一定の場合であっても、撮影が単調になることのない写真シール作成装置、写真シール作成方法及び写真シール作成処理プログラムを提供することを目的とする。
【課題を解決するための手段】
【０００８】
本発明に係る写真シール作成装置の第１の態様は、
カメラによって利用者を被写体として撮影する撮影部と、
撮影された画像を表示する表示部と、
前記表示部により表示された画像を出力する出力部と、を備えた写真シール作成装置であって、
前記撮影部は、複数回の撮影を所定の撮影間隔で連続的に行うように設定され、
同じ画角での撮影における前記撮影間隔を変更する変更部を備える。
【０００９】
前記第１の態様によれば、複数回の撮影を、同じ画角かつ所定の撮影間隔で連続的に行う場合であっても、変更部により撮影間隔を変更することが可能なので、撮影が単調になることを防ぎ、利用者を飽きさせることがない。
【００１０】
本発明に係る写真シール作成装置の他の態様は、前記撮影部は、撮影の残り回数を計測する計測部を備え、前記変更部は、前記計測部により計測した残り回数がＮ回（Ｎ≧１）になった場合に、前記撮影間隔の変更を行うようにしてもよい。
【００１１】
この態様によれば、同じ画角かつ所定の撮影間隔で連続的に行う場合であっても、変更部によりた残り回数がＮ回（Ｎ≧１）になった場合に撮影間隔を変更することが可能なので、撮影が単調になることを防ぎ、利用者を飽きさせることがない。
【００１２】
本発明に係る写真シール作成装置の他の態様は、前記撮影部は、前記画角の変更が可能であり、前記変更部は、前記画角が変更された後の撮影における前記撮影間隔を変更するようにしてもよい。
【００１３】
この態様によれば、画角が変更された場合でも、変更された後の撮影における撮影間隔が変更されるので、撮影が単調になることを防ぎ、利用者を飽きさせることがない。
【００１４】
本発明に係る写真シール作成装置の第２の態様は、
カメラによって利用者を被写体として撮影する撮影部と、
撮影された画像を表示する表示部と、
前記表示部により表示された画像を出力する出力部を備えた写真シール作成装置であって、
前記撮影部は、複数回の撮影を所定の撮影間隔で連続的に行うように設定され、
前記画角が変更された後の撮影における前記撮影間隔を変更する変更部を備える。
【００１５】
前記第２の態様によれば、複数回の撮影を、所定の撮影間隔で連続的に行い、画角を変更した後に変更部により撮影間隔を変更することが可能なので、撮影が単調になることを防ぎ、利用者を飽きさせることがない。
【００１６】
本発明に係る写真シール作成装置の他の態様は、前記撮影部は、ズームレンズを回転することにより、前記画角を変更するようにしてもよい。
【００１７】
この態様によれば、カメラを複数備えることなく、画角を変更することができる。
【００１８】
本発明に係る写真シール作成装置の他の態様は、前記撮影部は、電子ズームにより、前記画角を変更するようにしてもよい。
【００１９】
この態様によれば、カメラを複数備えることなく、画角を変更することができる。
【００２０】
本発明に係る写真シール作成装置の制御方法の第１の態様は、
カメラによって利用者を被写体として撮影するステップと、
撮影された画像を表示するステップと、
表示された画像を出力するステップとを備えた写真シール作成装置の制御方法であって、
前記撮影するステップは、
複数回の撮影を所定の撮影間隔で連続的に行うステップと、
同じ画角での撮影における前記撮影間隔を変更するステップと、を備える。
【００２１】
前記第１の態様によれば、複数回の撮影を、同じ画角かつ所定の撮影間隔で連続的に行う場合であっても、変更部により撮影間隔を変更することが可能なので、撮影が単調になることを防ぎ、利用者を飽きさせることがない。
【００２２】
本発明に係る写真シール作成処理プログラムの第１の態様は、
写真シール作成装置において実行可能な写真シール作成処理プログラムであって、前記写真シール作成処理プログラムは、前記写真シール作成装置のコンピュータを、
カメラによって利用者を被写体として撮影する撮影部、
撮影された画像を表示する表示部、
前記表示部により表示された画像を出力する出力部、として機能させ、
前記撮影部は、複数回の撮影を所定の撮影間隔で連続的に行うように設定され、
同じ画角での撮影における前記撮影間隔を変更する変更部を備える。
【００２３】
前記第１の態様によれば、複数回の撮影を、同じ画角かつ所定の撮影間隔で連続的に行う場合であっても、変更部により撮影間隔を変更することが可能なので、撮影が単調になることを防ぎ、利用者を飽きさせることがない。
【発明の効果】
【００２４】
本発明によれば、画角が一定で、撮影回数が多い場合でも、撮影間隔を変更することができるので、撮影が単調になることを防ぎ、利用者が撮影に飽きることを防止することができる。
【図面の簡単な説明】
【００２５】
【図１】本発明の一実施形態である写真シール作成装置の斜視図である。
【図２】写真シール作成装置の斜視図である。
【図３】写真シール作成ゲーム中の利用者の空間移動を説明するための図である。
【図４】事前選択部の正面図である。
【図５】撮影部の正面図である。
【図６】背景部の撮影空間側の正面図である。
【図７】編集ユニットの編集空間側の正面図である。
【図８】編集ユニットの左側面図である。
【図９】写真シール作成装置の内部構成を示すブロック図である。
【図１０】写真シール作成装置の機能ブロックを示すブロック図である。
【図１１】写真シール作成装置による写真シール作成ゲームに関する一連の動作を示すフローチャートである。
【図１２】撮影ゲームの全体の流れを示すフローチャートである。
【図１３】撮影準備処理の詳細を示すフローチャートである。
【図１４】撮影処理の詳細を示すフローチャートである。
【図１５】ストロボ処理の詳細を示すフローチャートである。
【図１６】画像処理確認処理の詳細を示すフローチャートである。
【図１７】枚数確認処理の詳細を示すフローチャートである。
【図１８】スタート画面の一例を示す図である。
【図１９】撮影枚数の案内画面の一例を示す図である。
【図２０】撮影枚数の案内画面の一例を示す図である。
【図２１】立ち位置誘導画面の一例を示す図である。
【図２２】立ち位置誘導画面の一例を示す図である。
【図２３】ライブビュー表示画面の一例を示す図である。
【図２４】カウントダウン時の画面の一例を示す図である。
【図２５】カウントダウン終了時の画面の一例を示す図である。
【図２６】サムネイル表示エリアにサムネイル表示が行われた例を示す図である。
【図２７】４枚目以降の撮影準備処理の際に表示されるポップアップ画面の一例を示す図である。
【図２８】４枚目以降の撮影準備処理の際に表示されるポップアップ画面の一例を示す図である。
【図２９】４枚目以降の撮影準備処理の際に表示されるライブビュー表示画面の一例を示す図である。
【図３０】４枚目以降の撮影準備処理の際の撮影画面の一例を示す図である。
【図３１】７枚の撮影の終了後に編集ユニットへの移動を促す画面の一例を示す図である。
【図３２】実施形態２における枚数確認処理のフローチャートである。
【図３３】実施形態２の撮影ゲームの全体の流れを示すフローチャートである。
【図３４】実施形態３のカメラの詳細な構成を示す図である。
【図３５】実施形態３の撮影ゲームの全体の流れを示すフローチャートである。
【図３６】実施形態４の撮影ゲームの全体の流れを示すフローチャートである。
【図３７】実施形態５の撮影ゲームの一部の流れを示すフローチャートである。
【図３８】実施形態５の撮影ゲームの一部の流れを示すフローチャートである。
【図３９】実施形態６の撮影ゲームの全体の流れを示すフローチャートである。
【図４０】実施形態７の撮影ゲームの全体の流れを示すフローチャートである。
【図４１】実施形態８の撮影ゲームの全体の流れを示すフローチャートである。
【図４２】実施形態９の撮影ゲームの全体の流れを示すフローチャートである。
【図４３】実施形態１０の撮影ゲームの全体の流れを示すフローチャートである。
【図４４】実施形態１１の撮影ゲームの全体の流れを示すフローチャートである。
【図４５】実施形態１２の撮影ゲームの全体の流れを示すフローチャートである。
【図４６】実施形態１３の撮影ゲームの全体の流れを示すフローチャートである。
【図４７】実施形態１４の撮影ゲームの全体の流れを示すフローチャートである。
【図４８】実施形態１５の撮影ゲームの全体の流れを示すフローチャートである。
【発明を実施するための形態】
【００２６】
以下、本発明の具体的な実施の形態について添付の図面を参照しながら説明する。以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。さらに、各図面に記載した構成の形状、ならびに、長さ、奥行および幅などの寸法は、実際の形状および寸法を反映させたものではなく、図面の明瞭化と簡略化のために適宜変更している。
【００２７】
＜実施形態１＞
本発明の一実施の形態である写真シール作成装置は、撮影や編集等を利用者にゲームとして行わせ、その撮影・編集した画像を、写真シールやデータとして利用者に提供するゲーム装置である。写真シール作成装置１は、例えば、ゲームセンタ、ショッピングモールおよび観光地の店舗等に設置される。
【００２８】
写真シール作成装置が提供するゲームにおいて、利用者は、写真シール作成装置に設けられたカメラを用いて自分自身等を撮影する。利用者は、その撮影画像に対して、前景画像および／または背景画像を合成したり、また、編集用合成用画像としてのペン画像入力やスタンプ画像入力等の編集機能（落書き編集機能）を用いたりして編集を行い、撮影画像を彩り豊かなものにデザインする。そしてゲーム終了後、利用者は、編集した画像が印刷された写真シール等を成果物として受け取る。または、写真シール作成装置は編集した画像を利用者の携帯端末に提供し、利用者は携帯端末により成果物を受け取ることもできる。
【００２９】
（写真シール作成装置の構成）
図１および図２は、写真シール作成装置１の外観の構成例を示す斜視図である。写真シール作成装置１は、撮影画像や編集画像を提供するゲーム機である。写真シール作成装置１は、画像をシール紙に印刷したり、画像を利用者の携帯端末上で閲覧可能にしたりするためにその画像をサーバに送信することで、利用者に画像を提供する。写真シール作成装置１の利用者は、主に女子中学生および女子高校生などの若い女性が中心とされる。写真シール作成装置１において、１組当たり主に２人や３人などの複数人の利用者がゲームを楽しむことができる。もちろん、写真シール作成装置１において、１人の利用者がゲームを楽しむこともできる。
【００３０】
写真シール作成装置１において、利用者は、自身が被写体となって撮影作業を行う。利用者は、編集作業により、撮影によって得られた撮影画像の中から選択した画像に、手書きの文字やスタンプ画像などの合成用画像を合成させる。これにより、撮影画像が華やかな画像に編集される。利用者は、編集済みの画像である編集画像が印刷されたシール紙を受け取って一連のゲームを終了させる。
【００３１】
図１に示すように、写真シール作成装置１は、基本的に、撮影ユニット１１と編集ユニット１２が接した状態で設置されることによって構成される。
【００３２】
撮影ユニット１１は、事前選択操作部２０、撮影操作部２１、および背景部２２から構成される。事前選択操作部２０は、撮影操作部２１の側面に設置される。事前選択操作部２０の前方の空間が、事前選択処理が行われる事前選択空間となる。また、撮影操作部２１と背景部２２は所定の距離だけ離れて設置される。撮影操作部２１と背景部２２の間に形成される空間が、撮影処理が行われる撮影空間となる。
【００３３】
事前選択操作部２０は、事前選択処理として、写真シール作成装置１によって提供されるゲームを紹介するガイダンスを行ったり、撮影空間で行われる撮影処理における各種の設定を利用者に選択させるための処理を行ったりする。事前選択操作部２０には、利用者が代金を投入する硬貨投入口や、各種の操作に用いられるタッチパネルモニタなどが設けられる。事前選択操作部２０は、撮影空間の空き状況に応じて、適宜、事前選択空間にいる利用者を撮影空間へと案内する。
【００３４】
撮影操作部２１は、利用者を被写体として撮影するための装置である。撮影操作部２１は、撮影空間に入った利用者の正面に位置する。撮影空間に臨む撮影操作部２１の正面には、カメラや、各種の操作に用いられるタッチパネルモニタなどが設けられる。撮影空間において正面を向いている利用者からみて左側の面を左側面、右側の面を右側面とすると、撮影操作部２１の左側面が側面パネル４１Ａにより構成され、右側面が側面パネル４１Ｂにより構成される。さらに、撮影操作部２１の正面が正面パネル４２により構成される。側面パネル４１Ａには、上述した事前選択操作部２０が設置されるものとする。なお、事前選択操作部２０は、側面パネル４１Ｂに設置されるようにしてもよいし、側面パネル４１Ａ，４１Ｂの両方に設置されるようにしてもよい。
【００３５】
背景部２２は、背面パネル５１、側面パネル５２Ａ、および側面パネル５２Ｂから構成される。背面パネル５１は、正面を向いている利用者の背面側に位置する板状の部材である。側面パネル５２Ａは、背面パネル５１の左端に取り付けられ、側面パネル４１Ａより横幅の狭い板状の部材である。側面パネル５２Ｂは、背面パネル５１の右端に取り付けられ、側面パネル４１Ｂより横幅の狭い板状の部材である。
【００３６】
側面パネル４１Ａと側面パネル５２Ａは、ほぼ同一平面に設けられる。側面パネル４１Ａと側面パネル５２Ａの上部は、板状の部材である連結部２３Ａによって連結される。側面パネル４１Ａと側面パネル５２Ａの下部は、床面に設けた例えば金属製の部材である連結部２３Ａ’によって連結される。側面パネル４１Ｂと側面パネル５２Ｂも同様に、ほぼ同一平面に設けられる。側面パネル４１Ｂと側面パネル５２Ｂの上部は、連結部２３Ｂによって連結される。側面パネル４１Ｂと側面パネル５２Ｂの下部は、連結部２３Ｂ’によって連結される。
【００３７】
なお、背面パネル５１の撮影空間側の面には、例えば緑色のクロマキー用のシートが貼り付けられる。写真シール作成装置１は、クロマキー用のシートを背景として撮影することで、撮影処理や編集処理においてクロマキー合成を行う。これにより、利用者が所望する背景画像がシートの部分に合成される。
【００３８】
側面パネル４１Ａ、連結部２３Ａ、および側面パネル５２Ａに囲まれることによって形成される開口が撮影空間の出入り口となる。また、側面パネル４１Ｂ、連結部２３Ｂ、および側面パネル５２Ｂに囲まれることによって形成される開口も撮影空間の出入り口となる。
【００３９】
撮影空間の上方には、撮影操作部２１の正面、連結部２３Ａ、および連結部２３Ｂに囲まれた天井が形成される。その天井の一部に、天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて光を照射するストロボを内蔵する。天井ストロボユニット２４の内部には、ストロボの他に蛍光灯が設けられている。これにより、天井ストロボユニット２４は、撮影空間の照明としても機能する。
【００４０】
編集ユニット１２は、撮影画像に編集を施すための装置である。編集ユニット１２は、一方の側面が撮影操作部２１の正面パネル４２に接するようにして、撮影ユニット１１に連結している。
【００４１】
図１に示される編集ユニット１２の構成を正面側の構成とすると、編集ユニット１２の正面側と背面側のそれぞれに、編集作業で用いられる構成が設けられる。この構成により、２組の利用者が同時に編集作業を行うことができる。
【００４２】
編集ユニット１２の正面側は、面６１と、面６１の上方に形成された斜面６２から構成される。面６１は、床面に対して垂直で、撮影操作部２１の側面パネル４１Ａとほぼ平行な面である。斜面６２には、編集作業に用いられる構成として、タブレット内蔵モニタやタッチペンが設けられる。斜面６２の左側には、照明装置６４の一端を支持する柱状の支持部６３Ａが設けられる。斜面６２の右側には、照明装置６４の他端を支持する柱状の支持部６３Ｂが設けられる。支持部６３Ａの上面にはカーテンレール２６を支持する支持部６５が設けられる。
【００４３】
編集ユニット１２の上方にはカーテンレール２６が取り付けられる。カーテンレール２６は、３本のレール２６Ａ，２６Ｂ，２６Ｃが、組み合わせられて構成される。３本のレール２６Ａ，２６Ｂ，２６Ｃは、上から見たときの形状がコの字状となるように組み合わせられる。平行に設けられるレール２６Ａとレール２６Ｂの一端は、連結部２３Ａと連結部２３Ｂにそれぞれ固定され、レール２６Ａとレール２６Ｂの他端は、レール２６Ｃの両端にそれぞれ接合される。
【００４４】
カーテンレール２６には、編集ユニット１２の正面前方の空間と背面前方の空間が外から見えないようにカーテンが取り付けられる。そのカーテンにより囲まれる編集ユニット１２の正面前方の空間と背面後方の空間が、利用者が編集作業を行う編集空間となる。
【００４５】
また、後述するが、編集ユニット１２の左側面には、印刷済みのシール紙が排出される排出口が設けられる。編集ユニット１２の左側面前方の空間が、利用者が印刷済みのシール紙が排出されるのを待つ印刷待ち空間となる。
【００４６】
（利用者の移動）
ここで、画像作成ゲームの流れと、それに伴う利用者の移動について説明する。図３は、写真シール作成ゲーム中の利用者の空間移動を説明するための図である。
【００４７】
まず、利用者は、事前選択操作部２０の前方の空間である事前選択空間Ａ０において硬貨投入口に代金を投入する。次に、利用者は、タッチパネルモニタに表示される画面に従って各種の設定を行う。利用者は、例えば、撮影空間で行われる撮影に関するコースの選択などを事前選択作業として行う。
【００４８】
事前選択作業を終えた利用者は、白抜き矢印＃１で示すように、側面パネル４１Ａと側面パネル５２Ａの間の出入り口Ｇ１から、撮影操作部２１と背景部２２の間に形成された撮影空間Ａ１に入る。そして利用者は、撮影操作部２１に設けられたカメラやタッチパネルモニタなど利用して撮影作業を行う。
【００４９】
撮影作業を終えた利用者は、白抜き矢印＃２で示すように出入り口Ｇ１から撮影空間Ａ１を出て編集空間Ａ２−１に移動するか、または、白抜き矢印＃３で示すように出入り口Ｇ２から撮影空間Ａ１を出て編集空間Ａ２−２に移動する。
【００５０】
編集空間Ａ２−１は、編集ユニット１２の正面側の編集空間である。一方、編集空間Ａ２−２は、編集ユニット１２の背面側の編集空間である。利用者が編集空間Ａ２−１と編集空間Ａ２−２のいずれの空間に移動するのかは、撮影操作部２１のタッチパネルモニタの画面表示などによって案内される。例えば２つの編集空間のうちの空いている方が移動先として案内される。編集空間Ａ２−１または編集空間Ａ２−２に移動した利用者は、編集作業を開始する。編集空間Ａ２−１の利用者と、編集空間Ａ２−２の利用者は同時に編集作業を行うことができる。
【００５１】
編集作業が終了した後、編集画像の印刷が開始される。印刷が開始されると、編集空間Ａ２−１での編集作業を終えた利用者は、白抜き矢印＃４で示すように編集空間Ａ２−１から印刷待ち空間Ａ３に移動する。また、編集空間Ａ２−２での編集作業を終えた利用者は、白抜き矢印＃５で示すように編集空間Ａ２−２から印刷待ち空間Ａ３に移動する。
【００５２】
印刷待ち空間Ａ３に移動した利用者は、画像の印刷の終了を待つ。印刷が終了すると、利用者は、編集ユニット１２の右側面に設けられた排出口から排出されたシール紙を受け取り、一連の画像作成ゲームを終える。
【００５３】
（事前選択部の構成）
次に、各装置の構成について説明する。図４は、事前選択操作部２０の正面図である。
【００５４】
事前選択操作部２０の上側にはタッチパネルモニタ７１が設けられる。タッチパネルモニタ７１は、ＬＣＤ(Liquid Crystal Display)などのモニタと、それに積層されたタッチパネルにより構成される。タッチパネルモニタ７１は、各種のＧＵＩ(Graphical User Interface)を表示し、利用者の選択操作を受け付ける機能を備えている。タッチパネルモニタ７１には、撮影に関するコースの選択、編集の対象となる編集対象画像における背景となる画像の選択、作成画像のレイアウト、画像作成ゲーム中に流れるＢＧＭ（Back Ground Music）、音および音声の少なくともいずれかの選択、並びに利用者の名前の入力などを行わせる事前選択処理に用いられる画面が表示される。
【００５５】
撮影に関するコースは、利用者が２人で撮影を行う２人用コースと、３人以上で撮影を行う大人数コースとが用意されている。また、男女のカップルで撮影を行うカップルコースが用意されていてもよい。
【００５６】
タッチパネルモニタ７１の下方には、スピーカ７２が設けられる。スピーカ７２は、事前選択処理の案内音声、ＢＧＭ、効果音などを出力する。また、スピーカ７２に隣接するようにして、利用者が硬貨を入れる硬貨投入返却口７３が設けられる。
【００５７】
（撮影部の構成）
図５は、撮影部としての撮影操作部２１の正面図である。撮影操作部２１は、側面パネル４１Ａ、側面パネル４１Ｂ、および正面パネル４２に囲まれるようにして構成される。
【００５８】
正面パネル４２の中央には、カメラユニット８１が設けられる。カメラユニット８１は、カメラ９１および表示部としてのタッチパネルモニタ９２から構成される。
【００５９】
カメラ９１は、例えば一眼レフカメラであり、レンズが露出するようにカメラユニット８１の内部に取り付けられる。カメラ９１は、ＣＣＤ(Charge Coupled Device)イメージセンサやＣＭＯＳ（Complementary Metal Oxide Semiconductor）イメージセンサなどの撮像素子を有し、撮影空間Ａ１にいる利用者を撮影する。カメラ９１により取り込まれた動画像（以下、ライブビュー表示画像ともいう）は、タッチパネルモニタ９２にリアルタイムで表示される。撮影が指示されたときなどの所定のタイミングでカメラ９１により取り込まれた静止画像は、撮影画像として保存される。
【００６０】
タッチパネルモニタ９２は、カメラ９１の下方に設けられる。タッチパネルモニタ９２は、ＬＣＤなどのモニタと、それに積層されたタッチパネルにより構成される。タッチパネルモニタ９２は、カメラ９１により取り込まれた動画像を表示するライブビューモニタとしての機能と、各種のＧＵＩを表示し利用者の選択操作を受け付ける機能を備えている。当該選択操作の具体例としては、撮影コースの選択、撮影開始および終了の指示（撮影の制御指示）、目の変形具合および色、ならびに肌の色の補正具合の選択、作成画像における背景画像となる画像の選択、ならびに画像作成ゲーム中のＢＧＭ（音・音声）の選択などが挙げられる。タッチパネルモニタ９２には、カメラ９１により取り込まれた動画像（ライブビュー画像）や静止画像（撮影画像）が表示される。
【００６１】
カメラユニット８１の上方には、曲面の発光面を利用者に向けた上ストロボ８２が設置される。上ストロボ８２は、正面上方から利用者の顔および上半身に光を照射する。
【００６２】
また、カメラユニット８１の下方には、利用者の下半身および足元に光を照射する足元ストロボ８５が設けられる。なお、上ストロボ８２と足元ストロボ８５には、ストロボと蛍光灯が含まれている。
【００６３】
なお、図１および図５においては図示を省略するが、正面パネル４２の例えば天井付近には、スピーカ９３が設けられる。スピーカ９３は、制御部２０１から出力される音声信号により、撮影処理の案内音声、ＢＧＭ、効果音などを出力する。
【００６４】
（背景部の構成）
図６は、背景部２２の撮影空間Ａ１側の正面図である。
【００６５】
背面パネル５１の上方には、背面上ストロボ１０１が設置される。背面上ストロボ１０１は、背面上方から利用者に光を照射する。
【００６６】
図中、背面パネル５１の左方には、背面左ストロボ１０２が設置される。背面左ストロボ１０２は、背面右方から利用者を照射する。図中、背面パネル５１の右方には、背面右ストロボ１０３が設置される。背面右ストロボ１０３は、背面左方から利用者を照射する。
【００６７】
また、背面パネル５１の撮影空間Ａ１側（図中、手前側）の面には、クロマキーシート１２１が貼り付けられていてもよい。クロマキーシート１２１の色は、例えば緑色とされる。
【００６８】
なお、図示はしないが、側面パネル５２Ａ，５２Ｂの撮影空間Ａ１側の面にも、クロマキーシート１２１と同様に、クロマキーシートが貼り付けられていてもよい。
【００６９】
（編集ユニットの構成）
図７は、編集ユニット１２の編集空間Ａ２−１側の正面図である。
【００７０】
斜面６２のほぼ中央には、タブレット内蔵モニタ１３１が設けられる。タブレット内蔵モニタ１３１の左側にはタッチペン１３２Ａが設けられる。タブレット内蔵モニタ１３１の右側にはタッチペン１３２Ｂが設けられる。タブレット内蔵モニタ１３１は、タブレットがディスプレイを露出するように設けられることによって構成される。タブレットは、タッチペン１３２Ａまたはタッチペン１３２Ｂを用いた操作入力を可能とする。タブレット内蔵モニタ１３１には、例えば、編集作業に用いられる編集画面が表示される。例えば、２人の利用者が同時に編集作業を行う場合、タッチペン１３２Ａはタブレット内蔵モニタ１３１に向かって左側にいる利用者により用いられ、タッチペン１３２Ｂはタブレット内蔵モニタ１３１に向かって右側にいる利用者により用いられる。
【００７１】
図８は、編集ユニット１２の左側面図である。
【００７２】
編集ユニット１２の左側面の下側にはシール紙排出口１６１が設けられる。編集ユニット１２の内部には出力部としてのプリンタが設けられている。そのプリンタにより、編集空間Ａ２−１の利用者が写る画像、または、編集空間Ａ２−２の利用者が写る画像が所定のレイアウトでシール紙に印刷され、シール紙排出口１６１から排出される。
【００７３】
（写真シール作成装置の内部構成）
図９は、写真シール作成装置１の内部の構成例を示すブロック図である。図９において、上述した構成と同じ構成には同じ符号を付してある。重複する説明については適宜省略する。
【００７４】
制御部２０１はＣＰＵ(Central Processing Unit)などにより構成される。制御部２０１は、ＲＯＭ(Read Only Memory)２０６や記憶部２０２に記憶されているプログラムを実行し、写真シール作成装置１の全体の動作を制御する。制御部２０１には、記憶部２０２、通信部２０３、ドライブ２０４、ＲＯＭ２０６、ＲＡＭ(Random Access Memory)２０７が接続される。制御部２０１には、事前選択操作部２０、撮影操作部２１、背景部２２、編集操作部２７Ａ，２７Ｂ、および印刷操作部２８の各構成も接続される。
【００７５】
記憶部２０２は、ハードディスクやフラッシュメモリなどの不揮発性の記憶媒体である。記憶部２０２は、制御部２０１から供給された各種の設定情報などを記憶する。記憶部２０２に記憶されている情報は制御部２０１により適宜読み出される。
【００７６】
通信部２０３は、インターネットなどのネットワークのインタフェースである。通信部２０３は、制御部２０１による制御に従って外部の装置と通信を行う。通信部２０３は、例えば、利用者に選択された撮影画像や編集画像をサーバに送信する。通信部２０３から送信された画像は、サーバにおいて所定の記憶領域が割り当てられて保存され、サーバにアクセスしてきた携帯端末に表示されたり、ダウンロードされたりする。
【００７７】
ドライブ２０４には、光ディスクや半導体メモリなどよりなるリムーバブルメディア２０５が適宜装着される。ドライブ２０４によりリムーバブルメディア２０５から読み出されたプログラムやデータは、制御部２０１に供給され、記憶部２０２に記憶されたり、インストールされたりする。
【００７８】
ＲＯＭ２０６は、制御部２０１において実行されるプログラムやデータを記憶する。ＲＡＭ２０７は、制御部２０１が処理するデータやプログラムを一時的に記憶する。
【００７９】
事前選択操作部２０は、事前選択空間Ａ０にいる利用者を対象とした事前選択処理を実現する。事前選択操作部２０は、タッチパネルモニタ７１、スピーカ７２、および硬貨処理部７４から構成される。
【００８０】
タッチパネルモニタ７１は、制御部２０１による制御に従って各種の選択画面を表示し、選択画面に対する利用者の操作を受け付ける。利用者の操作の内容を表す入力信号は制御部２０１に供給され、各種の設定が行われる。
【００８１】
硬貨処理部７４は、硬貨投入返却口７３への硬貨の投入を検出する。硬貨処理部７４は、所定の金額分の硬貨が投入されたことを検出した場合、ゲームの開始を指示する起動信号を制御部２０１に出力する。
【００８２】
撮影操作部２１は、撮影空間Ａ１にいる利用者を対象とした撮影処理を実現する。撮影部２０９は、上ストロボ８２、左ストロボ８３、右ストロボ８４、足元ストロボ８５、カメラ９１、タッチパネルモニタ９２、およびスピーカ９３から構成される。
【００８３】
上ストロボ８２、左ストロボ８３、右ストロボ８４、および足元ストロボ８５は、撮影空間Ａ１内に配置され、制御部２０１から供給される照明制御信号に従って発光する。
【００８４】
カメラ９１は、制御部２０１によるシャッタ制御に従って撮影を行い、撮影によって得られた撮影画像（画像データ）を制御部２０１に出力する。
【００８５】
編集操作部２７Ａは、編集空間Ａ２−１にいる利用者を対象とした編集処理を実現する。編集操作部２７Ａは、タブレット内蔵モニタ１３１、タッチペン１３２Ａ，１３２Ｂ、およびスピーカ１３３から構成される。編集操作部２７Ｂは、編集空間Ａ２−２にいる利用者を対象とした編集処理を実現し、編集操作部２７Ａと同一の構成を有する。なお、以下、編集操作部２７Ａ，２７Ｂを特に区別しない場合には、単に、編集操作部２７という。
【００８６】
タブレット内蔵モニタ１３１は、制御部２０１による制御に従って編集画面を表示し、編集画面に対する利用者の操作を受け付ける。利用者の操作の内容を表す入力信号は制御部２０１に供給され、編集対象となる撮影画像が編集される。
【００８７】
印刷操作部２８は、印刷待ち空間Ａ３にいる利用者に、作成画像を印刷済みのシール紙を提供する印刷処理を実現する。印刷操作部２８は、プリンタ１４０を含むように構成される。プリンタ１４０にはシール紙ユニット１４１が装着される。
【００８８】
プリンタ１４０は、制御部２０１から供給された印刷データに基づいて、編集画像をシール紙ユニット１４１に収納されているシール紙１４２に印刷し、シール紙排出口１６１に排出する。
【００８９】
（写真シール作成装置の機能ブロック）
図１０は、写真シール作成装置１の機能ブロックを示すブロック図である。写真シール作成装置１は、事前選択部２１０、撮影部２２０、編集部２３０、および印刷部２４０として機能する。また、制御部２０１は、本発明の写真シール作成処理プログラムを実行することにより、事前選択処理部３０１、変更部としての撮影処理部３０２、編集処理部３０５、および印刷処理部３０６として機能する。
【００９０】
事前選択部２１０は、上述した事前選択操作部２０と、事前選択処理部３０１とを備える。事前選択処理部３０１は、事前選択操作部２０におけるタッチパネルモニタ７１、スピーカ７２、および硬貨処理部７４を制御することで、事前選択処理を行う。事前選択処理部３０１は、撮影空間Ａ１において行われる撮影に関するコースの選択のための選択画面等をタッチパネルモニタ７１に表示させる。また事前選択処理部３０１は、タッチパネルモニタ７１に対する、利用者の操作入力を受け付ける。具体的には、事前選択処理部３０１は、タッチパネルモニタ７１に表示された選択画面に対する選択の操作入力、および利用者の名前の入力等を受け付ける。また事前選択処理部３０１は、各種の選択操作を説明するガイダンスの出力を制御する。事前選択処理部３０１は、各種の選択操作を説明する画面をタッチパネルモニタ７１に表示させたり、各種の選択操作を説明する音声をスピーカ７２から出力させたりする。
【００９１】
撮影部２２０は、上述した撮影操作部２１と、撮影処理部３０２とを備える。撮影処理部３０２は、撮影操作部２１におけるカメラ９１、タッチパネルモニタ９２、およびスピーカ９３を制御することで、撮影処理を行う。
【００９２】
撮影処理部３０２は、タッチパネルモニタ９２に対する、利用者の操作入力を受け付ける。例えば、撮影空間Ａ１における撮影処理は、撮影処理部３０２が、利用者によるタッチパネルモニタ９２への接触操作を入力として受け付けることにより開始される。
【００９３】
撮影処理部３０２は、カメラ９１を制御し、利用者を被写体として撮影する。撮影には、動画像と静止画像とがある。撮影処理部３０２は、タッチパネルモニタ９２の表示を制御することにより、カメラ９１に取り込まれた動画像をタッチパネルモニタ９２にライブビュー表示させたり、撮影結果である静止画像を撮影画像として表示させたりする。
【００９４】
また、撮影処理部３０２は、撮影枚数、利用者の立ち位置、サンプルポーズ、目線についてのメッセージ、および撮影タイミング等を説明するイントラクション画面をタッチパネルモニタ９２に表示させる。さらに、それぞれのイントラクション画面に対応するナレーションの音声、およびＢＧＭをスピーカ９３から出力させる。
【００９５】
ライブビュー表示は、撮影処理部３０２が、カメラ９１に取り込まれた動画像に合成用画像を合成し、合成した画像をタッチパネルモニタ９２にライブビュー表示画像としてさせることにより行われる。したがって、利用者は、仕上がりイメージをリアルタイムで確認しながら撮影を行うことができる。
【００９６】
編集部２３０は、上述した編集操作部２７Ａ，２７Ｂと、編集処理部３０５とを備える。編集処理部３０５は、編集操作部２７Ａ，２７Ｂにおけるタブレット内蔵モニタ１３１、およびスピーカ１３３を制御することで、編集処理を行う。編集処理部３０５は、タブレット内蔵モニタ１３１に対する、タッチペン１３２Ａ，１３２Ｂを用いた利用者の操作入力を受け付ける。
【００９７】
また、編集処理部３０５は、タブレット内蔵モニタ１３１に表示させた選択画面に対する選択操作に応じて、編集対象画像としての撮影画像に所定の画像処理を施し、タブレット内蔵モニタ１３１に表示させる。あるいは、編集処理部３０５は、タブレット内蔵モニタ１３１に表示させた編集画面に対する入力操作に応じて、合成用画像に所定の画像処理を施し、あるいは、入力操作に応じて新たな合成用画像を生成して、撮影画像に合成し、タブレット内蔵モニタ１３１に表示させる。
【００９８】
また、編集処理部３０５は、編集の進め方などを説明するガイダンスの出力を制御する。例えば、編集処理部３０５は、編集の進め方などを説明するガイダンスの画面をタブレット内蔵モニタ１３１に表示させたり、編集の進め方などを説明するガイダンスの音声をスピーカ１３３から出力させたりする。また、編集処理部３０５は通信部２０３を制御し、インターネットなどのネットワークを介した通信に関する処理を行う。また、編集処理部３０５は、印刷操作部２８のプリンタ１４０を制御することで、印刷処理を行ってもよい。
【００９９】
印刷部２４０は、上述した印刷操作部２８と、印刷処理部３０６とを備える。印刷処理部３０６は、編集処理部３０５から印刷データを受け取り、印刷操作部２８のプリンタ１４０を制御することで、印刷処理を行う。
【０１００】
このように、写真シール作成装置１は課金と引き換えに、利用者の気持ちが盛り上がるような仕掛け（撮影ポーズの選択、ＢＧＭ、ナレーションなど）が種々施された写真シール作成ゲームを提供する。そのため、写真シール作成装置１での作成画像は、利用者の楽しい表情が引き出された画像や、趣向を凝らした、華やかな画像となる。
【０１０１】
また、写真シール作成装置１ではライティングなどの設備が充実しており、そして画像の変形処理（例えば被写体の目の大きさや脚の長さなど）および色の補正（被写体の肌の美白処理など）などを高度な技術で行えるため、写真シール作成装置１で作成した画像は、利用者の写りが良い画像となる。
【０１０２】
また、写真シール作成装置１以外での画像処理（例えば写真加工のためのアプリケーションなどでの処理）に比べて容易に編集（画像への落書き）ができ、当該編集のバリエーションも豊かである。この点からも、写真シール作成装置１での作成画像は写真シール作成装置１以外で撮影および画像処理された画像に比べ、比較的華やかに仕上がるといえる。
【０１０３】
（写真シール作成ゲームの流れ）
次に、利用者が写真シール作成装置１において写真シール作成ゲームを行う処理の流れについて、図１１を用いて説明する。図１１は、写真シール作成装置１におけるゲームの開始から当該ゲームで写真シールを作成するまでの処理の流れを示すフローチャートである。
【０１０４】
ゲーム開始前の状態においては、写真シール作成装置１の事前選択処理部３０１として機能する制御部２０１は、事前選択操作部２０のタッチパネルモニタ７１に、硬貨の投入を促すメッセージを表示させる。また、制御部２０１は、図１１に示すように、硬貨処理部７４からの起動信号の有無に基づいて、硬貨投入返却口７３に硬貨が投入されたか否かを判定する（Ｓ１）。制御部２０１は、硬貨投入返却口７３に硬貨が投入されていないと判定した場合には（Ｓ１：ＮＯ）、硬貨が投入されたか否かの判定処理を継続する。
【０１０５】
ゲームを開始しようとする利用者は、事前選択操作部２０の前方の空間である事前選択空間Ａ０において硬貨投入返却口７３に硬貨を投入する。硬貨投入返却口７３へ硬貨が投入されると、硬貨処理部７４からゲームの開始を指示する起動信号が出力される。制御部２０１は、硬貨処理部７４から起動信号を入力すると、硬貨投入返却口７３に硬貨が投入されたと判定し（Ｓ１：ＹＥＳ）、利用者に対して事前接客処理を実行する（Ｓ２）。
【０１０６】
事前接客処理においては、制御部２０１は、タッチパネルモニタ７１に、コースの選択、名前の入力、およびデザインの選択等を促すメッセージ等を表示させる。利用者が、タッチパネルモニタ７１に表示されるメッセージ等に従って各種の選択または入力を行うと、制御部２０１は、撮影コース、名前、デザイン、および印刷レイアウト等の設定を行う。制御部２０１は、複数種類の合成用背景画像を選択可能にタッチパネルモニタ９２に表示させ、合成用背景画像を利用者に選択させる。
【０１０７】
事前接客処理が終了すると、制御部２０１は、利用者に対して撮影空間Ａ１に移動して撮影を行うことを促すメッセージ等をタッチパネルモニタ７１に表示させる。撮影処理部３０２として機能する制御部２０１は、撮影操作部２１のタッチパネルモニタ９２に、画面にタッチするように促すメッセージを表示させる。なお、このメッセージと共に、あるいはこのメッセージに代えて、スタートボタンを表示させてもよい。また、制御部２０１は、ＢＧＭと共に、画面にタッチするように促すナレーションを、スピーカ９３から出力させる。撮影空間Ａ１に移動した利用者が、タッチパネルモニタ９２にタッチすると、制御部２０１は、タッチパネルモニタ９２がタッチされたことを読み取り、撮影処理を開始する（Ｓ３）。
【０１０８】
撮影処理においては、制御部２０１は、タッチパネルモニタ９２に、例えばライティングに関するガイダンスを表示させ、利用者にライティングのレベルの選択を促す。利用者がライティングのレベルを選択すると、制御部２０１は、ライティングのレベルを、選択されたレベルに設定する。
【０１０９】
また、制御部２０１は、撮影枚数を説明するためのインストラクション画面をタッチパネルモニタ９２に表示させ、対応するナレーションをスピーカ９３から出力させる。本実施形態では、一例として、撮影枚数は７枚に設定されている。
【０１１０】
次に、制御部２０１は、利用者を立ち位置に誘導するためのインストラクション画面をタッチパネルモニタ９２に表示させ、対応するナレーションをスピーカ９３から出力させる。
【０１１１】
以上のようなインストラクション画面を表示させた後、制御部２０１は、利用者に選択させた撮影コースに応じて、合成用背景画像と、カメラ９１で取得している動画像とを合成したライブビュー表示画像を、ライブビュー表示としてタッチパネルモニタ９２に表示させる。これにより、利用者は、仕上がりイメージを確認しながらポーズを取ることができる。
【０１１２】
制御部２０１は、ライブビュー表示を、撮影のためのカウントダウンの終了直前まで行い、その間、制御部２０１は、ライブビュー表示と共に、あるいはライブビュー表示に代えて、サンプルポーズをタッチパネルモニタ９２に表示させる。制御部２０１は、サンプルポーズに合わせたナレーションをスピーカ９３から出力させる。
【０１１３】
制御部２０１は、ライブビュー表示の開始から終了までの時間を管理しており、予め設定した所定の時間が経過すると、タッチパネルモニタ９２の表示とスピーカ９３の音声とでカウントダウンを行う。
【０１１４】
制御部２０１は、カウントダウンの終了タイミングで、上ストロボ８２、左ストロボ８３、右ストロボ８４、および足元ストロボ８５に照明制御信号を送信すると共にカメラ９１にシャッタ信号を送信する。
【０１１５】
これにより、上ストロボ８２、左ストロボ８３、右ストロボ８４、および足元ストロボ８５から閃光を照射し、照明された利用者が背景とともに写っている撮影画像をカメラ９１により取得する。本実施形態では、一例として、ステップＳ３からステップＳ４までの処理を複数回繰り返して７枚の撮影画像を取得する。また、制御部２０１は、撮影画像に合成用背景画像を合成させた編集対象画像を記憶部２０２に記憶させる。
【０１１６】
撮影終了後、制御部２０１は、利用者に対して、編集空間Ａ２−１、または編集空間Ａ２−２のいずれか一方への移動を促す案内画面をタッチパネルモニタ９２に表示するとともに、音声による移動案内をスピーカ９３に出力する。
【０１１７】
そして、制御部２０１は、利用者による編集対象画像の編集を許容する編集処理を実行する（Ｓ５）。詳述すると、制御部２０１は、編集対象画像を、タブレット内蔵モニタ１４３に表示し、この編集対象画像に対して利用者がタッチペン１４５でスタンプ画像やペン画像などを描くことを許容し、編集画像を作成する。
【０１１８】
その後、制御部２０１は、利用者に対してシール紙排出口１６１が設けられた印刷待ち空間Ａ３への移動を促す案内画面をタブレット内蔵モニタ１３１に表示するとともに、音声による移動案内をスピーカ１３３に出力する。
【０１１９】
さらに、制御部２０１は、事前選択操作部２０において選択された印刷レイアウトに編集画像を配置して印刷用画像を作成し、この印刷用画像をシール紙１４２に印刷する印刷処理を実行する（Ｓ６）。
【０１２０】
印刷処理が終了すると、制御部２０１は、シール紙１４２の排出処理を実行し（Ｓ７）、印刷完了したシール紙１４２をシール紙排出口１６１から排出し、利用者に写真シールとして提供してゲームを終了する。このようにして、写真シール作成装置１により作成した利用者の撮影画像を、写真シールとして出力することができる。なお、詳細な説明は省略するが、本実施形態の写真シール作成装置１は、通信により、撮影画像を携帯端末等に出力することも可能である。
【０１２１】
（撮影ゲームの詳細）
次に、撮影ゲームの詳細について、図１２から図１７のフローチャート、および図１８から図３１の表示画面例を示す図を参照しつつ説明する。図１２は、撮影ゲームの全体の流れを示すフローチャートである。
【０１２２】
図１２に示すように、撮影ゲームが開始されると、制御部２０１は、初期設定を行う（図１２：Ｓ１０）。初期設定においては、制御部２０１は、撮影枚数カウンタを０に設定すると共に、各種のエラーカウンタを０に設定する。また、制御部２０１は、最大撮影枚数を７に設定する。さらに、制御部２０１は、撮影終了フラグ、および各種のエラーフラグを０に設定する。また、制御部２０１は、カメラ９１のフォーカス設定を行う。
【０１２３】
次に、制御部２０１は、インストラクション画面をタッチパネルモニタ９２に表示させ、各インストラクション画面に対応するナレーションをスピーカ９３から出力させる（図１１：Ｓ１１）。インストラクション画面には、図１８に示すスタート画面４００の表示と、図１９および図２０に示す撮影枚数の案内画面４１０，４２０と、図２１および図２２に示す立ち位置誘導画面４３０，４４０とが含まれる。
【０１２４】
図１８は、スタート画面４００の一例を示す図である。図１８に示すスタート画面４００には、“ＳＴＡＲＴ”の文字４０１と「指で画面にタッチしてね」というメッセージ４０２とが表示される。また、「指で画面にタッチしてね」のメッセージ４０２に対応して、「指で画面にタッチしてね」というナレーションがスピーカ９３から出力され、利用者に対して画面へのタッチを促す。
【０１２５】
制御部２０１は、利用者がタッチパネルモニタ９２にタッチしたことを検出すると、図１９および図２０に示す撮影枚数の案内画面４１０，４２０をタッチパネルモニタ９２に順次表示させ、各インストラクション画面に対応するナレーションをスピーカ９３から出力させる（図１１：Ｓ１１）。図１９は撮影枚数の案内画面４１０の一例を示す図である。
【０１２６】
図１９に示す撮影枚数の案内画面４１０には、中央部に、右肩に１から７までの番号を付したサンプル画像４１１が表示され、サンプル画像４１１の下方に、「７枚も撮影できて・・・」というメッセージ４１２が表示される。図１９に示す撮影枚数の案内画面４１０の表示時には、この写真シール作成装置１においては、７枚の写真撮影が行われることが、ナレーションにより説明される。
【０１２７】
制御部２０１は、図１９に示す撮影枚数の案内画面４１０を所定時間表示させた後、図２０に示す撮影枚数の案内画面４２０をタッチパネルモニタ９２に表示させる。図２０は撮影枚数の案内画面４２０の一例を示す図である。図２０に示す撮影枚数の案内画面４２０には、中央部に、シール紙に写真がプリントされた写真シールのサンプル画像４２１が表示され、サンプル画像４２１の下方に、「ぜーーんぶプリにできちゃうよ！」というメッセージ４２２が表示される。図２０に示す撮影枚数の案内画面４２０の表示時には、撮影した７枚の写真の全てが、写真シールとしてプリントされることが、ナレーションにより説明される。
【０１２８】
制御部２０１は、図２０に示す撮影枚数の案内画面４２０を所定時間表示させた後、図２１および図２２に示す立ち位置誘導画面４３０，４４０をタッチパネルモニタ９２に順次表示させる。図２１は立ち位置誘導画面４３０の一例を示す図である。図２１に示す立ち位置誘導画面４３０には、画面上部に、「足元にある白いシカクの上に立ってみて！！」というメッセージ４３１が表示され、メッセージ４３１の下方に、立ち位置誘導画像４３２が表示される。立ち位置誘導画像４３２は、２人用コースを選択した場合の立ち位置を示す画像である。図１および図２においては図示を省略するが、撮影空間Ａ１の床部には、立ち位置誘導画像４３２と同様の立ち位置誘導表示が施されている。
【０１２９】
本実施形態では、適正な立ち位置を利用者に知らせるために、立ち位置誘導画像４３２内の白色の四角マーク４３２ａ，４３２ｂを点滅表示させる。また、図２１に示す立ち位置誘導画面４３０の表示時には、撮影空間Ａ１の床部における立ち位置誘導表示内の白色の四角マークの位置に立つように、ナレーションによる誘導が行われる。
【０１３０】
制御部２０１は、図２１に示す立ち位置誘導画面４３０を所定時間表示させた後、図２２に示す立ち位置誘導画面４４０をタッチパネルモニタ９２に表示させる。図２２は立ち位置誘導画面４４０の一例を示す図である。図２２に示す立ち位置誘導画面４４０には、画面上部に、黒色の四角マークまたは斜線でハッチングされた四角マークの上に立った場合には適正な撮影が行われないことを示すメッセージ４４１が表示され、メッセージ４４１の下方に、立ち位置誘導画像４４２が表示される。図２２に示す立ち位置誘導画面４４０の表示時には、撮影空間Ａ１の床部における立ち位置誘導表示内の白色の四角マーク以外の位置に立つと適正な撮影が行われないことが、ナレーションにより注意喚起される。
【０１３１】
なお、位置誘導画面は、上半身を撮影するアップ撮影の場合と、全身撮影の場合とで、異なる立ち位置を点滅表示してもよい。また、撮影の途中で、再度立ち位置誘導画面を表示して、同じ位置を点滅表示してもよい。これは、時間が経過するにつれて、利用者がカメラ９１から遠ざかる傾向にあるためである。
【０１３２】
本実施形態では、適正ではない立ち位置を利用者に知らせるために、立ち位置誘導画像４４２内の黒色の四角マーク４４２ａおよび斜線でハッチングされた四角マーク４４２ｂを点滅表示させる。なお、点滅表示は所定時間行うが、この所定時間は、例えば、利用者の一人または利用者全員が、適切な位置に移動するまでの時間としてもよい。
【０１３３】
以上のように、スタート画面４００、撮影枚数の案内画面４１０，４２０、および立ち位置誘導画面４３０，４４０を含むインストラクション画面の表示（図１２：Ｓ１１）が終了すると、図１２に示すように、制御部２０１は、エラー処理を行う（図１２：Ｓ１２）。エラー処理においては、制御部２０１は、フォーカスエラーの回数に応じてカメラ９１のフォーカス設定を行ったり、カメラエラーの回数に応じてカメラ９１の再起動等の処理を行ったりする。また、制御部２０１は、カメラエラーの回数が所定値以上に達した場合には、タッチパネルモニタ９２にエラー画面を表示させて（図１２：Ｓ１３）、処理を終了する。
【０１３４】
カメラエラーの回数がゼロまたは所定値未満である場合には、制御部２０１は、撮影準備処理を行う（図１２：Ｓ１４）。図１３は、撮影準備処理の詳細を示すフローチャートである。撮影準備処理においては、制御部２０１は、撮影操作部２１に対して、設置されたストロボのチャージ指示を行う（図１３：Ｓ３０)。ストロボのチャージには、所定時間を要するため、撮影準備処理の一部として、チャージ指示を行うように構成されている。
【０１３５】
次に、制御部２０１は、ライブビューフォーカス調整を行う（図１３：Ｓ３１)。制御部２０１は、ライブビュー表示のためのカメラ９１の設定を行い、フォーカス調整を行う。
【０１３６】
以上の処理が終了すると、制御部２０１は、ライブビュー表示を開始する（図１３：Ｓ３２）。図２３に、ライブビュー表示画面４５０の一例を示す。制御部２０１は、中央表示エリア４５１に、カメラ９１により撮影した利用者の画像をクロマキー処理して、合成用画像（背景画像等）と、所定の画像処理を施した画像とを合成した合成画像を、ライブビュー表示４５２としてリアルタイムで表示させる。利用者は、ライブビュー表示４５２を見ることにより、印刷される画像にほぼ等しい画像を予め確認しながら、ポーズを決めることができる。
【０１３７】
また、制御部２０１は、右側表示エリア４５３および左表示エリア４５４にサンプルポーズ４５５を表示させる（図１３：Ｓ３３）。この時、中央表示エリア４５１にサンプルポーズ４５５を所定時間だけ表示させてもよい。
【０１３８】
さらに、制御部２０１は、撮影枚数カウンタの値に応じて、撮影枚数の表示を行う（図１３：Ｓ３４）。撮影枚数の表示は、中央表示エリア４５１の下方のサムネイル表示エリア４５６と、右側表示エリア４５３の上方の撮影枚数表示アイコン４５７において行う。サムネイル表示エリア４５６には、７枚分のサムネイル表示枠が表示されており、撮影が行われていない段階では、サムネイル表示枠内にはハートマークが表示されている。サムネイル表示エリア４５６の左端に位置する１枚目のサムネイル表示枠４５６ａ内のハートマークには、チェックマークが表示されており、１枚目の撮影準備中であることを示している。また、撮影枚数表示アイコン４５７には、「１／７枚」の文字が表示され、７枚の総撮影枚数中の１枚目の撮影準備中であることを示している。
【０１３９】
以上のようにして、撮影準備処理（図１２：Ｓ１４）が終了すると、制御部２０１は、カウントダウンの開始までのライブビュー表示の表示期間の調整を行う。本実施形態においては、１枚目から３枚目までの撮影の場合には、撮影準備処理の終了からカウントダウンの開始までの時間は９秒に設定されており、４枚目から７枚目までの撮影の場合には、撮影準備処理の終了からカウントダウンの開始までの時間は７秒に設定されている。
【０１４０】
制御部２０１は、撮影準備処理（図１２：Ｓ１４）が終了すると、撮影枚数カウンタの値に基づいて、４枚目以降の撮影であるかどうかを判断する（図１２：Ｓ１５）。制御部２０１は、１枚目から３枚目までの撮影の場合には（図１２：Ｓ１５；ＮＯ）、時間カウンタにより９秒のカウントを行い（図１２：Ｓ１６）、４枚目から７枚目までの撮影の場合には（図１２：Ｓ１５；ＹＥＳ）、時間カウンタにより７秒のカウントを行う（図１２：Ｓ１７）。この間においても、ライブビュー表示は行われており、利用者は、ライブビュー表示を見ながら、撮影するポーズを考えることができる。
【０１４１】
制御部２０１は、９秒または７秒のカウントが終了すると、次に、撮影処理を行う（図１２：Ｓ１８）。図１４は、撮影処理の詳細を示すフローチャートである。制御部２０１は、撮影処理においては、カウントダウンを開始する（図１４：Ｓ７０）。本実施形態では、制御部２０１は、例えば、「３、２、１」のようにナレーションによりカウントダウンを行う。そして、制御部２０１は、「１」のタイミングで、ライブビュー表示を終了させ（図１４：Ｓ７１）、図２４に示すように中央表示エリア４５１の画像を、黒色の背景に白色の三角形マークと「カメラを見てね」というメッセージ、およびカウントダウンの１の値を示す丸数字の１が表示された画像に切り替える。
【０１４２】
次に、制御部２０１は、中央表示エリア４５１の画像を、図２５に示すように丸数字の１を消した画像に切り替え、撮影のためのカメラ９１の設定を行う（図１４：Ｓ７２）。次に、制御部２０１は、撮影に使用するストロボのチャージ完了を確認する（図１４：Ｓ７３）。制御部２０１は、ストロボのチャージが完了していない場合には（図１４：Ｓ７３；未完了）、予め定められている最大チャージ時間が経過したかどうかを確認する（図１４：Ｓ７４）。制御部２０１は、最大チャージ時間を超過してもチャージが完了しない場合には（図１４：Ｓ７４；超過）、タッチパネルモニタ９２にエラー画面を表示させ（図１４：Ｓ７５）、処理を終了する。
【０１４３】
制御部２０１は、経過時間が最大チャージ時間以下である場合には（図１４：Ｓ７４；以下）、予め定められている指定時間の待機を行い、ストロボのチャージ完了の確認を繰り返す（図１４：Ｓ７３）。
【０１４４】
制御部２０１は、ストロボのチャージ完了を確認した場合には（図１４：Ｓ７３；完了）、撮影を行う（図１４：Ｓ７８）。制御部２０１は、撮影操作部２１と利用者立ち位置部２３におけるそれぞれのストロボを発光させると共に、カメラ９１のシャッタを動作させて撮影を行う。
【０１４５】
制御部２０１は、撮影の終了後、撮影結果の確認を行う（図１４：Ｓ７９）。制御部２０１は、撮影結果の確認においては、シャッタが正常であるかどうか、およびフォーカスエラーがあったかどうかを確認する。制御部２０１は、シャッタの異常およびフォーカスエラーの少なくともいずれかが発生した場合には（図１４：Ｓ７９；異常）、エラー処理を行う。制御部２０１は、エラー処理においては、該当するエラーのカウンタをインクリメントする。制御部２０１は、シャッタの異常が発生した場合には、カメラエラーカウンタをインクリメントし、フォーカスエラーが発生した場合には、フォーカスエラーカウンタをインクリメントする。
【０１４６】
制御部２０１は、以上のようなエラー処理が終了した後、あるいはステップＳ７９の撮影結果の確認の結果、エラーがないと判断した場合には（図１４：Ｓ７９；正常）、エラー回数の確認を行う（図１４：Ｓ８１）。制御部２０１は、カメラエラーカウンタおよびフォーカスエラーカウンタの少なくともいずれかが所定回数を超過した場合には（図１４：Ｓ７９；超過）、エラーが発生したと判断して（図１４：Ｓ８２）、図１２のエラー処理（図１２：Ｓ１１）からやり直す。
【０１４７】
制御部２０１は、エラー回数の確認の結果、カメラエラーカウンタおよびフォーカスエラーカウンタのいずれもが所定回数以下である場合には（図１４：Ｓ７９；以下）、撮影操作部２１に、撮影画像と、所定の画像処理を行った画像とを合成する画像処理を指示する（図１４：Ｓ８３）。
【０１４８】
以上のようにして撮影処理が終了すると、制御部２０１は、図１２に示すように撮影後処理を行う（図１２：Ｓ１９）。撮影後処理（図１２：Ｓ１９）は、ストロボ処理（図１２：Ｓ２０）と画像処理確認処理（図１２：Ｓ２１）とに分かれている。制御部２０１は、ストロボ処理（図１２：Ｓ２０）と、画像処理確認処理（図１２：Ｓ２１）と、それぞれ並行して実行する。
【０１４９】
図１５は、ストロボ処理の詳細を示すフローチャートである。制御部２０１は、ストロボ処理においては、次の撮影のために、ストロボのチャージを所定時間だけ待機する処理を行う（図１５：Ｓ９０）。制御部２０１は、所定時間待機後、ストロボが発光したかどうかの確認を行う（図１５：Ｓ９１）。制御部２０１は、ストロボが発光したと確認した場合には（図１５：Ｓ９１；発光）、ストロボ処理を抜ける。
【０１５０】
制御部２０１は、ストロボが発光しなかったことを確認した場合には（図１５：Ｓ９１；不発光）、不発光カウンタをインクリメントする（図１５：Ｓ９２）。制御部２０１は、不発光カウンタの値が１を超えたかどうかを判断し（図１５：Ｓ９３）、不発光カウンタの値が１以下の場合には（図１５：Ｓ９３；ＮＯ）、ストロボ処理を抜ける。しかし、制御部２０１は、不発光カウンタの値が１を超えたと判断した場合には（図１５：Ｓ９３；ＹＥＳ）、タッチパネルモニタ９２にエラー画面を表示させて処理を終了する。
【０１５１】
図１６は、画像処理確認処理の詳細を示すフローチャートである。制御部２０１は、画像処理確認処理においては、撮影処理（図１２：Ｓ１８）で指示した画像処理が完了したかどうかを確認する（図１６：Ｓ１００）。制御部２０１は、画像処理が未完了であると判断した場合には（図１６：Ｓ１００；未完了）、予め指定された時間だけ待機する（図１６：Ｓ１０１）。
【０１５２】
制御部２０１は、画像処理が完了したと判断した場合には（図１６：Ｓ１００；完了）、画像処理におけるエラーの発生を確認する（図１６：Ｓ１０２）。制御部２０１は、画像処理におけるエラーが発生したと判断した場合には（図１６：Ｓ１０２；エラー）、画像処理エラーカウンタをインクリメントする（図１６：Ｓ１０３）。制御部２０１は、画像処理エラーカウンタの値が１を超えたかどうかを判断し（図１６：Ｓ１０４）、画像処理エラーカウンタの値が１を超えたと判断した場合には（図１６：Ｓ１０４；ＹＥＳ）、タッチパネルモニタ９２にエラー画面を表示させて処理を終了する。しかし、制御部２０１は、画像処理エラーカウンタの値が１以下の場合（図１６：Ｓ１０４；ＮＯ）、あるいは、ステップＳ１０２において画像処理におけるエラーが発生していないと判断した場合には（図１６：１０２；正常）、サムネイル表示処理を行う（図１６：Ｓ１０６）。
【０１５３】
制御部２０１は、サムネイル表示処理においては、サムネイル表示エリア４５６に、画像処理された画像を表示させる。図２６は、サムネイル表示エリア４５６にサムネイル表示が行われた例を示している。図２６に示すように、サムネイル表示エリア４５６の左端の１枚目のサムネイル表示枠４５６ａには、１枚目の撮影のサムネイル４５８が表示されている。
【０１５４】
制御部２０１は、サムネイル表示処理（図１６：Ｓ１０６）が終了すると、画像処理確認処理を抜ける。
【０１５５】
以上のような撮影後処理（図１２：Ｓ１９）が終了すると、制御部２０１は、枚数確認処理（図１２：Ｓ２４）を行う。図１７は、枚数確認処理の詳細を示すフローチャートである。枚数確認処理においては、制御部２０１は、上述した画像処理におけるエラーの回数を示す画像処理エラーカウンタの値が１を超えたかどうかを判断する（図１７：Ｓ１１０）。
【０１５６】
制御部２０１は、画像処理エラーカウンタの値が１を超えたと判断すると（図１７：Ｓ１１０；ＹＥＳ）、エラーが発生したとして（図１７：Ｓ１１１）、枚数確認処理を抜け、図１２に示すように、ステップＳ１１のエラー処理からやり直す。
【０１５７】
制御部２０１は、画像処理エラーカウンタの値が１以下であると判断した場合には（図１７：Ｓ１１０；ＮＯ）、撮影枚数カウンタをインクリメントし（図１７：Ｓ１１２）、撮影枚数が最大撮影枚数に達したかどうかの判断を行う（図１７：Ｓ１１３）。本実施形態では、最大撮影枚数は７枚に設定されている。
【０１５８】
制御部２０１は、撮影枚数が最大撮影枚数に達した場合には（図１７：Ｓ１１０；ＹＥＳ）、撮影終了フラグを１に設定する。制御部２０１は、このように撮影終了フラグを１に設定した後、あるいは、撮影枚数が最大撮影枚数に達していないと判断した場合には（図１７：Ｓ１１０；ＮＯ）、撮影終了フラグを確認する（図１７：Ｓ１１５）。
【０１５９】
制御部２０１は、撮影終了フラグが１ではない場合には（図１７：Ｓ１１５；０）、撮影後処理を抜け、図１２に示すように、次の撮影のためにステップＳ１１のエラー処理からの処理を実行する。しかし、制御部２０１は、撮影終了フラグが１の場合には（図１７：Ｓ１１５；１）、図１２に示すように、撮影ゲームの処理を終了する。
【０１６０】
制御部２０１は、撮影ゲームを終了した後には、後述する編集対象画像選択処理を行う。ままた、制御部２０１は、編集対象画像選択処理を終了した後には、タッチパネルモニタ９２に、編集空間Ａ２−１または編集空間Ａ２−２に移動して編集を行うように指示メッセージを表示させ、同様の指示メッセージを音声で再生させる。
【０１６１】
１枚目の撮影が終了すると、制御部２０１は、図１２に示すようにエラー処理（図１２：Ｓ１２）に戻り、上述した処理を繰り返す。制御部２０１は、２枚目の撮影のためのライブビュー表示画面４５０をタッチパネルモニタ９２に表示させる。２枚目の撮影のためのライブビュー表示画面４５０は、図２３に示す１枚目の撮影のためのライブビュー表示画面４５０と異なり、サムネイル表示エリア４５６の左端に位置する１枚目のサムネイル表示枠４５６ａには、図２６に示すように１枚目の撮影のサムネイル４５８が表示され、その右隣の２枚目のサムネイル表示枠４５６ｂには、ハートマーク内にチェックマークが表示され、２枚目の撮影準備中であることが示される。また、撮影枚数表示アイコン４５７には、「２／７枚」の文字が表示され、７枚の総撮影枚数中の２枚目の撮影準備中であることが示される。さらに、右側表示エリア４５３および左表示エリア４５４には、２枚目の撮影用のサンプルポーズ４５５が表示される。
【０１６２】
（４枚目の撮影準備処理）
以下、制御部２０１は、２枚目の撮影から７枚目の撮影まで、上述した各処理を繰り返し行うが、４枚目の撮影準備処理（図１２：Ｓ１４）については、１枚目から３枚目の撮影準備処理の際とは異なった画像が表示される。以下、この「異なった画像」について説明する。
【０１６３】
図１３に示すように、制御部２０１は、撮影枚数表示（図１３：Ｓ３４）を行った後、撮影枚数カウンタの値に基づいて、４枚目の撮影準備処理かどうかを判断する（図１３：Ｓ３５）。制御部２０１は、４枚目の撮影準備処理であると判断した場合には（図１３：Ｓ３５；ＹＥＳ）、ポップアップ表示を行う（図１３：Ｓ３６）。
【０１６４】
図２７および図２８は、４枚目の撮影準備処理の際に表示されるライブビュー表示画面４５０の一例を示す図である。図２７に示すように、４枚目の撮影準備処理の際には、中央表示エリア４５１の上に、ポップアップ画面４６０が表示される。ポップアップ画面４６０には、モデルの画像４６１と、「ラスト４枚（ハートマーク）テンションを上げていこう（ハートマーク）」というメッセージ４６２とが表示される。
【０１６５】
本実施形態においては、図２７に示すポップアップ画面４６０の他に、図２８に示すポップアップ画面４６０を用い、制御部２０１は、図２７に示すポップアップ画面４６０と、図２８に示すポップアップ画面４６０とを、交互に表示させる。図２８に示すポップアップ画面４６０と図２７に示すポップアップ画面４６０とでは、モデルの画像４６１の向きが異なっている。２つのポップアップ画面４６０を交互に表示させることにより、モデルの画像４６１にアニメーションのように動きを持たせている。
【０１６６】
また、制御部２０１は、ナレーションについても、例えば、「今からおちゃめで可愛いポーズだよ！テンション上げて撮ってみてね」のように、ポップアップ画面４６０に表示されたメッセージ４６２に合わせたナレーションをスピーカ９３から出力させる。
【０１６７】
さらに、４枚目以降の撮影準備処理においては、図２９に示すように、右側表示エリア４５３および左表示エリア４５４に表示されるサンプルポーズ４５５も１枚目から３枚目までの撮影準備処理の際におけるサンプルポーズ４５５とは異なっている。図２９に示すサンプルポーズ４５５は、１枚目から３枚目の撮影準備処理の際に表示されるサンプルポーズ４５５に比べると、おちゃめで可愛いポーズになっており、モデルの衣装およびヘアメイクもカジュアルなテイストになっている。
【０１６８】
なお、図３０は、４枚目以降の撮影画面４５２ａを示す図である。また、図３１は、７枚目の撮影が終了した図である。
【０１６９】
以上のようなポップアップ画面４６０を表示することにより、メッセージ４６２に含まれる「ラスト４枚」というフレーズから、利用者は、残りの撮影枚数を視覚的に確認することができる。
【０１７０】
また、メッセージ４６２における「テンションを上げていこう（ハートマーク）」というフレーズ、モデルの画像４６１の動き、これらに合わせたナレーション、およびサンプルポーズ４５５のカジュアルなテイストにより、利用者の気分を高揚あるいは転換させることができる。したがって、撮影枚数が７枚と多い場合でも、利用者が単調に感じてしまうことを防止することができる。
【０１７１】
さらに、本実施形態においては、以上のようなポップアップ画面４６０の表示、それに合わせたナレーションの出力、およびテイストの異なるサンプルポーズ４５５により雰囲気を変えるだけでなく、４枚目以降の撮影間隔を調整することにより、利用者が撮影を単調に感じてしまうことを防止している。以下、本実施形態における撮影間隔の調整について説明する。
【０１７２】
（撮影間隔の調整）
図１２のフローチャートに示したように、ステップＳ１２のエラー処理から、ステップＳ２４の枚数確認処理までの処理は、１枚目から７枚目までの撮影において繰り返して実行される。そこで、本実施形態においては、ステップＳ１２のエラー処理の開始から、ステップＳ２４の枚数確認処理の終了までを、「撮影間隔」と定義している。
【０１７３】
図１２のフローチャートの左側に両矢印で示すように、１枚目から３枚目までの撮影においては、エラー処理（Ｓ１２）の開始からライブビュー表示が開始される撮影準備処理（Ｓ１４）までが２秒、ライブビュー表示期間が９秒、撮影処理（Ｓ１８）が４秒、そして、撮影後処理（Ｓ１９）から枚数確認処理（Ｓ２４）までが２秒となっており、撮影間隔は合計で１７秒である。
【０１７４】
これらの処理のうち、エラー処理（Ｓ１２）、撮影準備処理（Ｓ１４）、撮影処理（Ｓ１８）、撮影後処理（Ｓ１９）、および枚数確認処理（Ｓ２４）のそれぞれの所要時間は、エラーが発生しない限り一定の時間と考えられるので、本実施形態においては、撮影準備処理（Ｓ１４）においてライブビュー表示が開始されてから、カウントダウンが開始される撮影処理（Ｓ１８）の直前までのライブビュー表示期間を、１枚目から３枚目までの撮影時と、４枚目以降の撮影時とで、変更するように構成した。
【０１７５】
つまり、図１２に示すように、制御部２０１は、撮影準備処理（Ｓ１４）が終了した後、４枚目以降の撮影かどうかを判断し（Ｓ１５）、１枚目から３枚目の撮影である場合には（Ｓ１５；ＮＯ）、時間カウンタにより９秒し（Ｓ１６）、カウント終了後に撮影処理（Ｓ１８）に移行する。しかし、制御部２０１は、４枚目以降の撮影であると判断した場合には（Ｓ１５；ＹＥＳ）、時間カウンタにより７秒カウントし（Ｓ１７）、カウント終了後に撮影処理（Ｓ１８）に移行する。
【０１７６】
したがって、上述したように、１枚目から３枚目までの撮影においては、撮影間隔は合計で１７秒であるが、４枚目以降の撮影においては、ライブビュー表示期間が２秒短くなるので、撮影間隔は合計で１５秒となる。
【０１７７】
本実施形態では、このように構成することにより、撮影枚数が７枚と多い場合であっても、利用者がポーズを考えるライブビュー表示期間に変化を設けることができ、利用者が撮影を単調と感じることを防止することができる。
【０１７８】
特に、本実施形態の装置のように、１枚目から７枚目までの撮影の全てが、利用者の上半身を撮影する画角一定の装置の場合には、撮影枚数が７枚と従来よりも多ければ、利用者は撮影を単調と感じる傾向が強くなることが予想される。しかしながら、本実施形態は、上述のように撮影間隔に変化を持たせるので、画角一定で撮影枚数が７枚であっても、利用者が撮影を単調と感じることを防止することができる。
【０１７９】
また、本実施形態は、撮影間隔を一定にする従来の装置に比べて、７枚の撮影が完了するまでの総撮影時間が短くなり、利用者の回転率を上げて、利用待ちの行列の解消にも寄与することができる。
【０１８０】
なお、本実施形態は、総撮影枚数を７枚とし、４枚目以降の撮影間隔を変更する態様について説明したが、本発明はこのような態様に限定される訳ではなく、総撮影枚数と、撮影間隔を変更するタイミングとなる撮影枚数とは、適宜変更可能である。
【０１８１】
また、本実施形態では、撮影間隔を１７秒から１５秒に変更する態様について説明したが、本発明はこのような態様に限定される訳ではなく、変更前と変更後の撮影間隔を何秒とするかは適宜変更可能である。
【０１８２】
＜実施形態２＞
次に、本発明の実施形態２について、図３２および図３３を参照しつつ説明する。図３２は、実施形態１における図１７に対応する本実施形態の枚数確認処理のフローチャートである。図３２において、図１７と同一の処理には同一のステップ符号を付して説明を省略する。図３３は、実施形態１における図１２に対応する本実施形態の撮影ゲームの全体の流れを示すフローチャートである。図３３において、図１２と同一の処理には同一のステップ符号を付して説明を省略する。
【０１８３】
実施形態１においては、撮影枚数カウンタの初期値を０に設定し、図１７に示す枚数確認処理において撮影枚数カウンタをインクリメントし、撮影枚数カウンタの値が最大撮影枚数に達した時に撮影終了フラグを１に設定していた。また、撮影間隔の調整においては、図１２に示すステップＳ１５において、撮影枚数カウンタの値から４枚目以降の撮影か否かを判断して、時間カウンタのカウント数を変更していた。
【０１８４】
しかしながら、本実施形態においては、撮影枚数カウンタの初期値を７に設定し、図３２に示す枚数確認処理においては、計数部としての制御部２０１は、撮影枚数カウンタをデクリメントし（図３２：Ｓ２００）、撮影枚数カウンタの値が０に達したか否かを判断する（図３２：Ｓ２０１）。そして、制御部２０１は、撮影枚数カウンタの値が０に達したと判断した場合に（図３２：Ｓ２０１；ＹＥＳ）、撮影終了フラグを１に設定する（図３２：Ｓ１１５）。
【０１８５】
また、撮影間隔の調整においては、図３３に示す撮影ゲームの全体の流れを示すフローチャートにおいては、変更部としての制御部２０１は、撮影準備処理（図３３：Ｓ１４）の終了後、撮影枚数カウンタの値から残りの撮影枚数がＮ枚か否かを判断する（図３３：Ｓ２５）。そして、制御部２０１は、残りの撮影枚数がＮ枚より多いと判断した場合には（図３３：Ｓ２５；ＮＯ）、時間カウンタにより９秒のカウントを行う（図３３：Ｓ１６）。しかし、制御部２０１は、残りの撮影枚数がＮ枚以下であると判断した場合には（図３３：Ｓ２５；ＹＥＳ）、時間カウンタにより７秒のカウントを行う（図３３：Ｓ１７）。
【０１８６】
このように、本実施形態においては、計測部として制御部２０１により、撮影の残り枚数（回数）を計測し、変更部としての制御部２０１は、計測した残り回数がＮ回（Ｎ≧１）になった場合に、撮影間隔の変更を行う。
【０１８７】
本実施形態においても、撮影間隔に変化を持たせるので、画角一定で撮影枚数が７枚であっても、利用者が撮影を単調と感じることを防止することができる。
【０１８８】
また、本実施形態は、撮影間隔を一定にする従来の装置に比べて、７枚の撮影が完了するまでの総撮影時間が短くなり、利用者の回転率を上げて、利用待ちの行列の解消にも寄与することができる。
【０１８９】
なお、本実施形態は、総撮影枚数を７枚とする態様について説明したが、本発明はこのような態様に限定される訳ではなく、総撮影枚数が適宜変更可能である。また、本実施形態は、残りの撮影枚数がＮ枚以下のときに撮影間隔を変更するが、このＮの数値は、１以上であれば、適宜変更可能である。
【０１９０】
また、本実施形態では、撮影間隔を１７秒から１５秒に変更する態様について説明したが、本発明はこのような態様に限定される訳ではなく、変更前と変更後の撮影間隔を何秒とするかは適宜変更可能である。
【０１９１】
＜実施形態３＞
次に、本発明の実施形態３について、図３４および図３５を参照しつつ説明する。図３４は、本実施形態のカメラの詳細な構成を示す図である。図３５は、本実施形態の撮影ゲームの全体の流れを示すフローチャートである。図３５は、実施形態１における図１２のフローチャートに対応しており、図１２と同一の処理については同一のステップ符号を付して説明を省略する。
【０１９２】
本実施形態では、カメラ９１の代わりに、ズームレンズを回転することにより画角の変更可能なカメラ１１１を用い、画角が変更された後の撮影における撮影間隔を変更するところが上述した実施形態と異なる。
【０１９３】
図３５を参照して、カメラ１１１の詳細な構成例について説明する。カメラ１１１は、カメラ本体１１１Ｍがケース１１１Ｃに搭載されて構成される。カメラ１１１には、所定の駆動機構により、カメラ本体１１１Ｍのレンズの光軸に平行な軸を中心に回転する回転部１１１Ｒが設けられている。また、カメラ本体１１１Ｍの焦点距離を調整するズームリング１１１Ｆの円周面に設けられたギアと、回転部１１１Ｒの一端に設けられたギア（図示せず）とは、内側にリブが設けられたタイミングベルト１１１Ｂにより連結されている。
【０１９４】
すなわち、制御部２０１からの制御信号により回転部１１１Ｒを回転させることにより、タイミングベルト１１１Ｂを介してズームリング１１１Ｆを回転させ、カメラ本体１１１Ｍのレンズの焦点距離を調整することができる。これにより、上述した実施形態のように利用者の上半身を撮影するだけでなく、画角を変更して、利用者の全身を撮影することができる。
【０１９５】
本実施形態では、実施形態１と同様に、撮影枚数カウンタの初期値を０に設定し、図３５に示す枚数確認処理（図３５：Ｓ２４）において撮影枚数カウンタをインクリメントし、撮影枚数カウンタの値が最大撮影枚数に達した時に撮影終了フラグを１に設定する。
【０１９６】
本実施形態では、図３５に示す枚数確認処理（図３５：Ｓ２４）が終了すると、制御部２０１は、撮影枚数カウンタの値に基づいて、Ｎ枚目の撮影であるか否かを判断する（図３５：Ｓ２６）。数値Ｎは、１以上の数であれば適宜可能である。一例として、Ｎ＝７の場合について説明する。この場合には、制御部２０１は、枚数確認処理（図３５：Ｓ２４）の終了後に、７枚目の撮影であるか否かを判断する（図３５：Ｓ２６）。
【０１９７】
制御部２０１は、７枚目の撮影ではないと判断した場合には（図３５：Ｓ２６；ＮＯ）、エラー処理（図３５：Ｓ１２）へと移行する。制御部２０１は、実施形態１と同じエラー処理（図３５：Ｓ１２）と撮影準備処理（図３５：Ｓ１４）とを実行し、その後、画角が変更されたか否かを判断する（図３５：Ｓ２９）。つまり、制御部２０１は、回転部１１１Ｒの回転により画角が変更されたか否かを判断する。制御部２０１は、画角がまだ変更されていないと判断した場合には（図３５：Ｓ２９；ＮＯ）、時間カウンタにより９秒のカウントを行う（図３５：Ｓ１６）。
【０１９８】
撮影が進み、６枚の撮影が完了した後には、枚数確認処理（図３５：Ｓ２４）において撮影カウンタの値は７になっている。この場合には、制御部２０１は、Ｎ（＝７）枚目の撮影であると判断し（図３５：Ｓ２６；ＹＥＳ）、回転部１１１Ｒを回転させて、ズーム処理を行う（図３５：Ｓ２７）。本実施形態では、利用者の全身が撮影できるようにズームアウトさせる。
【０１９９】
次に、制御部２０１は、タッチパネルモニタ９２に立ち位置を変更するように誘導する画面を表示させ、立ち位置を変更するように誘導するナレーションをスピーカ９３から出力させる（図３５：Ｓ２８）。制御部２０１は、実施形態１と同じエラー処理（図３５：Ｓ１２）と撮影準備処理（図３５：Ｓ１４）とを実行し、ライブビュー表示を開始する。利用者は、ライブビュー表示を見ながら、全身が写るように立ち位置を移動させる。
【０２００】
制御部２０１は、撮影準備処理（図３５：Ｓ１４）の実行後、回転部１１１Ｒの回転により画角が変更されたか否かを判断する（図３５：Ｓ２９）。この場合には、ズームアウトが行われているので、制御部２０１は、画角が変更されたと判断し（図３５：Ｓ２９；ＹＥＳ）、時間カウンタにより７秒のカウントを行う（図３５：Ｓ１６）。
【０２０１】
以上のように、本実施形態によれば、画角の変更可能なカメラを備え、画角が変更された後の撮影における撮影間隔を変更するので、画角が変更される場合でも撮影間隔に変化を持たせ、撮影枚数が７枚であっても、利用者が撮影を単調と感じることを防止することができる。
【０２０２】
なお、本実施形態は、最大撮影枚数を７枚とする態様について説明したが、本発明はこのような態様に限定される訳ではなく、総撮影枚数が適宜変更可能である。また、本実施形態は、撮影枚数がＮ枚目のときに画角を変更し、それ以降の撮影間隔を変更するが、このＮの数値は、２以上かつ最大撮影枚数以下であれば適宜変更可能である。
【０２０３】
また、本実施形態では、撮影間隔を１７秒から１５秒に変更する態様について説明したが、本発明はこのような態様に限定される訳ではなく、変更前と変更後の撮影間隔を何秒とするかは適宜変更可能である。
【０２０４】
本実施形態は、実施形態１のように、撮影枚数カウンタをインクリメントし、撮影枚数がＮ枚になった際に画角を変更する態様について説明したが、実施形態２のように撮影枚数カウンタをデクリメントし、残り枚数がＮ枚となった際に画角を変更するようにしてもよい。
【０２０５】
また、本実施形態は、回転部１１１Ｒを回転させてズームを行う態様について説明したが、電子ズーム機能を有するカメラを用い、電子ズームにより画角を変更するようにしてもよい。
【０２０６】
＜実施形態４＞
次に、本発明の実施形態４について、図３６を参照しつつ説明する。図３６は、本実施形態の撮影ゲームの全体の流れを示すフローチャートである。図３６は、実施形態２における図３３のフローチャートに対応しており、図３３と同一の処理については同一のステップ符号を付して説明を省略する。
【０２０７】
本実施形態においては、硬貨投入からｎ秒経過してもスタート画面４００へのタッチが行われない場合には、ペナルティとして、最大撮影枚数を減少させている。例えば、ペナルティがある場合は、最大撮影枚数は、７枚ではなく、６枚となる。ただし、シール印刷は、７枚の画像が配置されるレイアウトを用いて行われるため、画像自体は７枚生成する。つまり、６枚目の画像を複製して7枚目の画像としている。
【０２０８】
本実施形態では、撮影枚数の残り枚数に応じて撮影間隔を変更するが、撮影間隔を変更する基準となる残り枚数をペナルティの有無によって変更する。図３６の撮影ゲームの全体の流れを示すフローチャートにおいては、変更部としての制御部２０１は、撮影準備処理（図３６：Ｓ１４）の終了後、ペナルティがあるかどうかを判断する（図３６：Ｓ２００）。制御部２０１は、ペナルティがないと判断した場合には（図３６：Ｓ２００；ＮＯ）、撮影枚数カウンタの値から残りの撮影枚数が４枚か否かを判断する（図３６：Ｓ２０２）。そして、制御部２０１は、残りの撮影枚数が４枚より多いと判断した場合には（図３６：Ｓ２０２；ＮＯ）、時間カウンタにより９秒のカウントを行う（図３６：Ｓ１６）。しかし、制御部２０１は、残りの撮影枚数が４枚以下であると判断した場合には（図３６：Ｓ２０２；ＹＥＳ）、時間カウンタにより７秒のカウントを行う（図３６：Ｓ１７）。
【０２０９】
制御部２０１は、ペナルティがあると判断した場合には（図３６：Ｓ２００；ＹＥＳ）、撮影枚数カウンタの値から残りの撮影枚数が３枚か否かを判断する（図３６：Ｓ２０１）。そして、制御部２０１は、残りの撮影枚数が３枚より多いと判断した場合には（図３７：Ｓ２０１；ＮＯ）、時間カウンタにより９秒のカウントを行う（図３６：Ｓ１６）。しかし、制御部２０１は、残りの撮影枚数が３枚以下であると判断した場合には（図３６：Ｓ２０１；ＹＥＳ）、時間カウンタにより７秒のカウントを行う（図３６：Ｓ１７）。
【０２１０】
このように、本実施形態においては、計測部として制御部２０１により、撮影の残り枚数（回数）を計測し、変更部としての制御部２０１は、計測した残り回数がＮ回（Ｎ≧１）になった場合に、撮影間隔の変更を行う。
【０２１１】
本実施形態においても、撮影間隔に変化を持たせるので、画角一定で撮影枚数が７枚または６枚であっても、利用者が撮影を単調と感じることを防止することができる。
【０２１２】
なお、本実施形態は、総撮影枚数を７枚とする態様について説明したが、本発明はこのような態様に限定される訳ではなく、総撮影枚数が適宜変更可能である。また、本実施形態は、残りの撮影枚数がＮ枚以下のときに撮影間隔を変更すればよく、このＮの数値は、１以上であれば、適宜変更可能である。
【０２１３】
また、本実施形態では、撮影間隔を１７秒から１５秒に変更する態様について説明したが、本発明はこのような態様に限定される訳ではなく、変更前と変更後の撮影間隔を何秒とするかは適宜変更可能である。
【０２１４】
＜実施形態５＞
次に、本発明の実施形態５について、図３７および図３８を参照しつつ説明する。図３７および図３８は、本実施形態の撮影ゲームの一部の流れを示すフローチャートである。図３７および図３８は、実施形態１における図１２のフローチャートにおけるステップＳ１４の処理の終了後から、ステップＳ１８の処理の開始前までの処理を本実施形態の処理に置き換えたものである。
【０２１５】
上述の実施形態においては、撮影間隔は１７秒と１５秒との２種類の時間に変更する態様について説明したが、本発明はこのような態様に限定される訳ではなく、撮影毎に徐々に撮影間隔を短くしてもよい。
【０２１６】
図３７のフローチャートにおいては、変更部としての制御部２０１は、撮影準備処理（図１２：Ｓ１４）の終了後、撮影枚数が４枚目以上であるか否かを判断する（図３７：Ｓ１５）。そして、制御部２０１は、撮影枚数が４枚目より少ないと判断した場合には（図３７：Ｓ１５；ＮＯ）、時間カウンタにより９秒のカウントを行う（図３７：Ｓ１６）。したがって、撮影枚数が１枚目から３枚目の場合は、撮影間隔は１７秒となる。
【０２１７】
制御部２０１は、撮影枚数が４枚目以上であると判断した場合には（図３７：Ｓ１５；ＹＥＳ）、撮影枚数が４枚目であるかどうかを判断する（図３７：Ｓ２１０）。制御部２０１は、撮影枚数が４枚目だと判断した場合には（図３７：Ｓ２１０；ＹＥＳ）、時間カウンタにより７秒のカウントを行う（図３７：Ｓ１７）。したがって、撮影枚数が４枚目の場合は、撮影間隔は１５秒となる。
【０２１８】
制御部２０１は、撮影枚数が４枚目ではないと判断した場合には（図３７：Ｓ２１０；ＮＯ）、撮影枚数が５枚目かどうかを判断する（図３７：Ｓ２１１）。制御部２０１は、撮影枚数が５枚目だと判断した場合には（図３７：Ｓ２１１；ＹＥＳ）、時間カウンタにより６秒のカウントを行う（図３７：Ｓ２１２）。したがって、撮影枚数が５枚目の場合は、撮影間隔は１４秒となる。
【０２１９】
制御部２０１は、撮影枚数が５枚目ではないと判断した場合には（図３７：Ｓ２１１；ＮＯ）、撮影枚数が６枚目かどうかを判断する（図３７：Ｓ２１３）。制御部２０１は、撮影枚数が６枚目だと判断した場合には（図３７：Ｓ２１３；ＹＥＳ）、時間カウンタにより５秒のカウントを行う（図３７：Ｓ２１４）。したがって、撮影枚数が６枚目の場合は、撮影間隔は１３秒となる。
【０２２０】
制御部２０１は、撮影枚数が６枚目ではないと判断した場合には（図３７：Ｓ２１３；ＮＯ）、時間カウンタにより４秒のカウントを行う（図３７：Ｓ２１５）。したがって、撮影枚数が７枚目の場合は、撮影間隔は１２秒となる。
【０２２１】
以上のように、本実施形態によれば、撮影枚数が１枚目から３枚目は撮影間隔が１７秒、撮影枚数が４枚目は撮影間隔が１５秒、撮影枚数が５枚目は撮影間隔が１４秒、撮影枚数が６枚目は撮影間隔が１３秒、撮影枚数が７枚目は撮影間隔が１２秒となり、撮影を重ねるごとに、撮影間隔が徐々に短くなるので、利用者は撮影作業に飽きることがない。
【０２２２】
また、図３８のフローチャートに示すように、撮影を重ねるごとに、撮影間隔を徐々に長くしてもよい。図３８に示すように、変更部としての制御部２０１は、撮影準備処理（図１２：Ｓ１４）の終了後、撮影枚数が４枚目以上であるか否かを判断する（図３８：Ｓ１５）。そして、制御部２０１は、撮影枚数が４枚目より少ないと判断した場合には（図３８：Ｓ１５；ＮＯ）、時間カウンタにより４秒のカウントを行う（図３８：Ｓ２２０）。したがって、撮影枚数が１枚目から３枚目の場合は、撮影間隔は１２秒となる。
【０２２３】
制御部２０１は、撮影枚数が４枚目以上であると判断した場合には（図３８：Ｓ１５；ＹＥＳ）、撮影枚数が４枚目であるかどうかを判断する（図３８：Ｓ２１０）。制御部２０１は、撮影枚数が４枚目だと判断した場合には（図３８：Ｓ２１０；ＹＥＳ）、時間カウンタにより５秒のカウントを行う（図３８：Ｓ２２０）。したがって、撮影枚数が４枚目の場合は、撮影間隔は１３秒となる。
【０２２４】
制御部２０１は、撮影枚数が４枚目ではないと判断した場合には（図３８：Ｓ２１０；ＮＯ）、撮影枚数が５枚目かどうかを判断する（図３８：Ｓ２１１）。制御部２０１は、撮影枚数が５枚目だと判断した場合には（図３８：Ｓ２１１；ＹＥＳ）、時間カウンタにより６秒のカウントを行う（図３８：Ｓ２２２）。したがって、撮影枚数が５枚目の場合は、撮影間隔は１４秒となる。
【０２２５】
制御部２０１は、撮影枚数が５枚目ではないと判断した場合には（図３８：Ｓ２１１；ＮＯ）、撮影枚数が６枚目かどうかを判断する（図３８：Ｓ２１３）。制御部２０１は、撮影枚数が６枚目だと判断した場合には（図３８：Ｓ２１３；ＹＥＳ）、時間カウンタにより７秒のカウントを行う（図３８：Ｓ２２３）。したがって、撮影枚数が６枚目の場合は、撮影間隔は１５秒となる。
【０２２６】
制御部２０１は、撮影枚数が６枚目ではないと判断した場合には（図３８：Ｓ２１３；ＮＯ）、時間カウンタにより９秒のカウントを行う（図３８：Ｓ２２４）。したがって、撮影枚数が７枚目の場合は、撮影間隔は１２秒となる。
【０２２７】
以上のように、本実施形態によれば、撮影枚数が１枚目から３枚目は撮影間隔が１２秒、撮影枚数が４枚目は撮影間隔が１３秒、撮影枚数が５枚目は撮影間隔が１４秒、撮影枚数が６枚目は撮影間隔が１５秒、撮影枚数が７枚目は撮影間隔が１７秒となり、撮影を重ねるごとに、撮影間隔が徐々に長くなるので、利用者は撮影作業に飽きることがない。
【０２２８】
本実施形態では、撮影枚数カウンタをインクリメントして、撮影枚数が何枚目かを判断して撮影間隔を徐々に変更したが、本発明はこのような態様に限定される訳ではなく、実施形態２のように、撮影枚数カウンタをデクリメントして、残りの撮影枚数が何枚目かを判断して撮影間隔を徐々に変更してもよい。
【０２２９】
なお、本実施形態は、総撮影枚数を７枚とする態様について説明したが、本発明はこのような態様に限定される訳ではなく、総撮影枚数が適宜変更可能である。また、撮影間隔の変化の度合いも、１秒刻みまたは２秒刻みに限定されるものではなく、適宜変更可能である。
【０２３０】
＜実施形態６＞
次に、本発明の実施形態６について、図３９を参照しつつ説明する。図３９は、本実施形態の撮影ゲームの全体の流れを示すフローチャートである。図３９は、実施形態１における図１２のフローチャートに対応するものであり、同一の処理には同一のステップ番号を付して説明を省略する。
【０２３１】
本実施形態は、曜日・時間に応じて、撮影間隔を変更するところが上述した実施形態と異なる。そのため、本実施形態の写真シール作成装置１は、カレンダー機能を備えており、曜日および時間を判断することができる。
【０２３２】
図３９のフローチャートにおいては、変更部としての制御部２０１は、撮影準備処理（図１２：Ｓ１４）の終了後、本日の曜日が土曜日または日曜日であるかを判断する（図３９：Ｓ２３０）。制御部２０１は、本日の曜日が土曜日または日曜日ではないと判断した場合には（図３９：Ｓ２３０；ＮＯ）、時間カウンタにより９秒のカウントを行う（図３９：Ｓ１６）。したがって、月曜日から金曜日までの平日に本実施形態の写真シール作成装置１を使用した場合には、撮影間隔は変更されない。
【０２３３】
制御部２０１は、本日の曜日が土曜日または日曜日だと判断した場合には（図３９：Ｓ２３０；ＹＥＳ）、撮影枚数が４枚目以上か否かを判断する（図３９：Ｓ１５）。制御部２０１は、撮影枚数が４枚目以上ではないと判断した場合には（図３９Ｓ１５；ＮＯ）、時間カウンタにより９秒のカウントを行う（図３９Ｓ１６）。したがって、本日の曜日が土曜日または日曜日であって、撮影枚数が１枚目から３枚目の場合には、撮影間隔は１７秒となる。
【０２３４】
制御部２０１は、制御部２０１は、撮影枚数が４枚目以上であると判断した場合には（図３９：Ｓ１５；ＹＥＳ）、時間カウンタにより７秒のカウントを行う（図３９：Ｓ１７）。したがって、本日の曜日が土曜日または日曜日であって、撮影枚数が４枚目以降の場合には、撮影間隔は１５秒となる。
【０２３５】
以上のように、本実施形態によれば、土曜日や日曜日は、所定枚数目からの撮影間隔を短くし、平日は、撮影間隔を変更しない。したがって、土曜日・日曜日は、写真シール作成装置１でプレイする利用者の数が多くなるが、ゲームの回転数を上げることができる。
【０２３６】
なお、本実施形態では、撮影枚数カウンタをインクリメントして、曜日が土日の場合に撮影枚数が何枚目かを判断して撮影間隔を変更したが、本発明はこのような態様に限定される訳ではなく、実施形態２のように、撮影枚数カウンタをデクリメントして、曜日が土日の場合に残りの撮影枚数が何枚目かを判断して撮影間隔を変更してもよい。
【０２３７】
また、曜日に応じて撮影間隔を変更するかどうかを判断するのではなく、時間帯に応じて上述のように撮影間隔を変更してもよい。この場合も、利用者の数が多くなる時間帯に、ゲームの回転数を上げることができる。
【０２３８】
なお、本実施形態は、総撮影枚数を７枚とする態様について説明したが、本発明はこのような態様に限定される訳ではなく、総撮影枚数が適宜変更可能である。
【０２３９】
＜実施形態７＞
次に、本発明の実施形態７について、図４０を参照しつつ説明する。図４０は、本実施形態の撮影ゲームの全体の流れを示すフローチャートである。図４０は、実施形態１における図１２のフローチャートに対応するものであり、同一の処理には同一のステップ番号を付して説明を省略する。
【０２４０】
本実施形態は、利用者の性別に応じて、撮影間隔を変更する。利用者の性別は、事前選択操作部２０のタッチパネルモニタ７１において入力される。
【０２４１】
図４０のフローチャートにおいては、変更部としての制御部２０１は、撮影準備処理（図１２：Ｓ１４）の終了後、利用者の性別が女性かどうかを判断する（図４０：Ｓ２４０）。制御部２０１は、利用者の性別が女性ではないと判断した場合には（図４０：Ｓ２４０；ＮＯ）、時間カウンタにより９秒のカウントを行い（図４０：Ｓ１６）、撮影間隔の変更は行わない。したがって、利用者の性別が男性の場合には、撮影間隔は１７秒で一定であり、撮影間隔は変更されない。
【０２４２】
制御部２０１は、利用者の性別が女性であると判断した場合には（図４０：Ｓ２４０；ＹＥＳ）、撮影枚数が４枚目以上か否かを判断する（図４０：Ｓ１５）。制御部２０１は、撮影枚数が４枚目以上ではないと判断した場合には（図４０：Ｓ１５；ＮＯ）、時間カウンタにより９秒のカウントを行う（図４０：Ｓ１６）。したがって、利用者の性別が女性であって、撮影枚数が１枚目から３枚目の場合には、撮影間隔は１７秒となる。
【０２４３】
制御部２０１は、制御部２０１は、撮影枚数が４枚目以上であると判断した場合には（図４０：Ｓ１５；ＹＥＳ）、時間カウンタにより７秒のカウントを行う（図４０：Ｓ１７）。したがって、利用者の性別が女性であって、撮影枚数が４枚目以降の場合には、撮影間隔は１５秒となる。
【０２４４】
以上のように、本実施形態によれば、利用者の性別が男性である場合には撮影間隔を変更せず、利用者の性別が女性である場合には、撮影枚数に応じて撮影間隔を変更する。これは、男性が、写真シール作成装置１による撮影に不慣れであるためである。本実施形態によれば、利用者の性別に応じて、利用者にとって使い易い写真シール作成装置１を提供することができる。
【０２４５】
なお、本実施形態では、撮影枚数カウンタをインクリメントして、利用者の性別が女性の場合に撮影枚数が何枚目かを判断して撮影間隔を変更したが、本発明はこのような態様に限定される訳ではなく、実施形態２のように、撮影枚数カウンタをデクリメントして、利用者の性別が女性の場合に残りの撮影枚数が何枚目かを判断して撮影間隔を変更してもよい。
【０２４６】
なお、本実施形態は、総撮影枚数を７枚とする態様について説明したが、本発明はこのような態様に限定される訳ではなく、総撮影枚数が適宜変更可能である。
【０２４７】
＜実施形態８＞
次に、本発明の実施形態８について、図４１を参照しつつ説明する。図４１は、本実施形態の撮影ゲームの全体の流れを示すフローチャートである。図４１は、実施形態１における図１２のフローチャートに対応するものであり、同一の処理には同一のステップ番号を付して説明を省略する。
【０２４８】
本実施形態は、利用者の声に応じて、撮影間隔を変更する。そのため、本実施形態の写真シール作成装置１は、マイク等の集音装置を撮影空間Ａ１内に設置する。また、制御部２０１は、集音装置で集音した利用者の声の周波数分析を行う機能を備えている。
【０２４９】
図４１のフローチャートにおいては、変更部としての制御部２０１は、撮影準備処理（図１２：Ｓ１４）の終了後、集音装置で集音した利用者の声の周波数が所定の閾値以下かどうかを判断する（図４１：Ｓ２５０）。制御部２０１は、利用者の声の周波数が所定の閾値以下であると判断した場合には（図４１：Ｓ２５０；ＹＥＳ）、時間カウンタにより９秒のカウントを行い（図４１：Ｓ１６）、撮影間隔の変更は行わない。したがって、利用者の声の周波数が所定の閾値以下であり、利用者の性別が男性であると判断される場合には、撮影間隔は１７秒で一定であり、撮影間隔は変更されない。
【０２５０】
制御部２０１は、利用者の声の周波数が所定の閾値よりも高いと判断した場合には（図４１：Ｓ２５０；ＮＯ）、撮影枚数が４枚目以上か否かを判断する（図４１：Ｓ１５）。制御部２０１は、撮影枚数が４枚目以上ではないと判断した場合には（図４１：Ｓ１５；ＮＯ）、時間カウンタにより９秒のカウントを行う（図４１：Ｓ１６）。したがって、利用者の声の周波数が所定の閾値よりも高く、利用者の性別が女性であると判断される場合であって、撮影枚数が１枚目から３枚目の場合には、撮影間隔は１７秒となる。
【０２５１】
制御部２０１は、制御部２０１は、撮影枚数が４枚目以上であると判断した場合には（図４１：Ｓ１５；ＹＥＳ）、時間カウンタにより７秒のカウントを行う（図４１：Ｓ１７）。したがって、利用者の声の周波数が所定の閾値よりも高く、利用者の性別が女性であると判断される場合であって、撮影枚数が４枚目以降の場合には、撮影間隔は１５秒となる。
【０２５２】
以上のように、本実施形態によれば、利用者の声の周波数が所定の閾値以下で、利用者の性別が男性であると判断される場合には撮影間隔を変更せず、利用者の声の周波数が所定の閾値より高く、利用者の性別が女性であると判断される場合には、撮影枚数に応じて撮影間隔を変更する。これは、男性が、写真シール作成装置１による撮影に不慣れであるためである。本実施形態によれば、利用者の性別に応じて、利用者にとって使い易い写真シール作成装置１を提供することができる。
【０２５３】
なお、本実施形態では、撮影枚数カウンタをインクリメントして、利用者の声の周波数が所定の閾値より高く、利用者の性別が女性であると判断される場合に撮影枚数が何枚目かを判断して撮影間隔を変更したが、本発明はこのような態様に限定される訳ではなく、実施形態２のように、撮影枚数カウンタをデクリメントして、利用者の声の周波数が所定の閾値より高く、利用者の性別が女性であると判断される場合に残りの撮影枚数が何枚目かを判断して撮影間隔を変更してもよい。
【０２５４】
なお、本実施形態は、総撮影枚数を７枚とする態様について説明したが、本発明はこのような態様に限定される訳ではなく、総撮影枚数が適宜変更可能である。
【０２５５】
＜実施形態９＞
次に、本発明の実施形態９について、図４２を参照しつつ説明する。図４２は、本実施形態の撮影ゲームの全体の流れを示すフローチャートである。図４２は、実施形態１における図１２のフローチャートに対応するものであり、同一の処理には同一のステップ番号を付して説明を省略する。
【０２５６】
本実施形態は、利用者の服の色に応じて、撮影間隔を変更するところが上述した実施形態と異なる。利用者の服の色の判断は、カメラ９１により撮影した利用者の画像に基づいて判断する。
【０２５７】
図４２のフローチャートにおいては、変更部としての制御部２０１は、撮影準備処理（図１２：Ｓ１４）の終了後、カメラ９１により撮影した利用者の画像に基づいて利用者の声の服の色が明るい色か否かを判断する（図４２：Ｓ２６０）。制御部２０１は、利用者の服の色が明るい色ではないと判断した場合には（図４２：Ｓ２６０；ＮＯ）、時間カウンタにより９秒のカウントを行い（図４２：Ｓ１６）、撮影間隔の変更は行わない。したがって、利用者の服の色が暗い色の場合には、撮影間隔は１７秒で一定であり、撮影間隔は変更されない。
【０２５８】
制御部２０１は、利用者の服の色が明るいと判断した場合には（図４２：Ｓ２６０；ＹＥＳ）、撮影枚数が４枚目以上か否かを判断する（図４２：Ｓ１５）。制御部２０１は、撮影枚数が４枚目以上ではないと判断した場合には（図４２：Ｓ１５；ＮＯ）、時間カウンタにより９秒のカウントを行う（図４２：Ｓ１６）。したがって、利用者の服の色が明るく、撮影枚数が１枚目から３枚目の場合には、撮影間隔は１７秒となる。
【０２５９】
制御部２０１は、制御部２０１は、撮影枚数が４枚目以上であると判断した場合には（図４２：Ｓ１５；ＹＥＳ）、時間カウンタにより７秒のカウントを行う（図４２：Ｓ１７）。したがって、利用者の服の色が明るく、撮影枚数が４枚目以降の場合には、撮影間隔は１５秒となる。
【０２６０】
以上のように、本実施形態によれば、利用者の服の色が暗い場合には撮影間隔を変更せず、利用者の服の色が明るい場合には、撮影枚数に応じて撮影間隔を変更する。これは、暗い色の服を着用している利用者は、落ち着いた撮影を好む傾向にあると考えられるためである。本実施形態によれば、利用者の好みに応じて、利用者にとって使い易い写真シール作成装置１を提供することができる。
【０２６１】
なお、本実施形態では、撮影枚数カウンタをインクリメントして、利用者の服の色が明るい場合に撮影枚数が何枚目かを判断して撮影間隔を変更したが、本発明はこのような態様に限定される訳ではなく、実施形態２のように、撮影枚数カウンタをデクリメントして、利用者の服の色が明るい場合に残りの撮影枚数が何枚目かを判断して撮影間隔を変更してもよい。
【０２６２】
なお、本実施形態は、総撮影枚数を７枚とする態様について説明したが、本発明はこのような態様に限定される訳ではなく、総撮影枚数が適宜変更可能である。
【０２６３】
＜実施形態１０＞
次に、本発明の実施形態１０について、図４３を参照しつつ説明する。図４３は、本実施形態の撮影ゲームの全体の流れを示すフローチャートである。図４３は、実施形態１における図１２のフローチャートに対応するものであり、同一の処理には同一のステップ番号を付して説明を省略する。
【０２６４】
本実施形態は、利用者の立ち位置または動きに応じて、撮影間隔を１枚ごとに変更するところが上述した実施形態と異なる。まず、利用者の立ち位置に応じて撮影間隔を１枚ごとに変更する例について説明する。
【０２６５】
図４３のフローチャートにおいては、変更部としての制御部２０１は、撮影準備処理（図１２：Ｓ１４）の終了後、カメラ９１により撮影した利用者の画像に基づいて利用者の顔がタッチパネルモニタ９２の画面の中央に位置しているか否かを判断する（図４３：Ｓ２７０）。制御部２０１は、利用者の顔が画面の中央に位置していないと判断した場合には（図４３：Ｓ２７０；ＮＯ）、時間カウンタにより９秒のカウントを行う（図４３：Ｓ１６）。したがって、利用者の顔の位置が画面の端に配置されており、顔が途切れる心配がある場合には、撮影間隔を長くして、１７秒とする。
【０２６６】
制御部２０１は、利用者の顔が画面の中央に位置していると判断した場合には（図４３：Ｓ２７０；ＹＥＳ）、時間カウンタにより７秒のカウントを行う（図４３：Ｓ１７）。したがって、利用者の顔が画面の中央に配置されており、顔が途切れる心配がない場合には、撮影間隔を短くして、１５秒とする。
【０２６７】
以上のように、本実施形態によれば、利用者の顔の位置が画面の端に配置されており、顔が途切れる心配のある場合には撮影間隔を長くして、利用者の顔の位置が画面の中央に配置されており、顔が途切れる心配のない場合には、撮影間隔を短くする。したがって、本実施形態によれば、撮影において、利用者の顔が途切れることを防止することができる。なお、利用者の顔が画面の端に位置していると判断した場合は、正しい立ち位置を誘導する画面を表示してもよい。
【０２６８】
なお、本実施形態では、撮影枚数カウンタをインクリメントして、利用者の顔の画面における位置に応じて撮影間隔を変更したが、本発明はこのような態様に限定される訳ではなく、実施形態２のように、撮影枚数カウンタをデクリメントして、利用者の顔の画面における位置に応じて残りの撮影枚数が何枚目かを判断して撮影間隔を変更してもよい。
【０２６９】
また、利用者の立ち位置を判定する方法としては、上述した方法の他にも、利用者の顔の大きさを判定する方法も採用することができる。この場合には、図４４のステップＳ２７０において、利用者の顔の大きさを判定して、画面に対して顔の大きさが極端に大きい場合や小さい場合は、顔が途切れる心配もあるため、撮影間隔を長くする。また、利用者の顔の大きさが所定の大きさである場合は、顔が途切れる心配もないため、撮影間隔を短くする。このように構成しても、撮影において、利用者の顔が途切れることを防止することができる。なお、この場合も、利用者の顔の大きさが画面に対して極端に大きいまたは小さいと判定した場合は、正しい立ち位置を誘導する画面を表示してもよい。
【０２７０】
次に、利用者の動きを判定して、この動きに応じて、撮影間隔を変更する例について説明する。この場合には、制御部２０１は、画面における利用者の動きをフレーム画像毎に抽出する。制御部２０１は、図４３のステップＳ２７０において、このフレーム画像ごとで、前のフレーム画像と取得したフレーム画像の差分を比較して、一定の閾値以上であれば、動きが早いと判定して、撮影間隔を長くする。また、制御部２０１は、このフレーム画像ごとで、前のフレーム画像と取得したフレーム画像の差分を比較して、一定の閾値未満であれば、動きが遅いと判定して、撮影間隔を短くする。これは、動きが早いと判定される場合には、利用者が未だ適正な位置まで移動していると考えられるためである。このように構成した場合でも、撮影において、利用者の顔が途切れることを防止することができる。
【０２７１】
なお、本実施形態は、総撮影枚数を７枚とする態様について説明したが、本発明はこのような態様に限定される訳ではなく、総撮影枚数が適宜変更可能である。
【０２７２】
＜実施形態１１＞
次に、本発明の実施形態１１について、図４４を参照しつつ説明する。図４４は、本実施形態の撮影ゲームの全体の流れを示すフローチャートである。図４４は、実施形態１における図１２のフローチャートに対応するものであり、同一の処理には同一のステップ番号を付して説明を省略する。
【０２７３】
本実施形態は、利用者の属性に応じて、撮影間隔を変更するところが、上述した実施形態と異なる。利用者の属性は、事前選択操作部２０のタッチパネルモニタ７１において入力される情報に基づいて判断する。利用者の属性としては、年齢、学生区分、性別、居住地、設置店舗、一緒に撮影する利用者の数等が挙げられる。一例として、学生区分に応じて撮影間隔を変更する態様について説明する。なお、学生区分は、年齢から判断してもよいし、事前選択操作部２０のタッチパネルモニタ７１において入力させるようにしてもよい。
【０２７４】
図４４のフローチャートにおいては、変更部としての制御部２０１は、撮影準備処理（図１２：Ｓ１４）の終了後、利用者が高校生かどうかを判断する（図４４：Ｓ２８０）。制御部２０１は、利用者が高校生ではないと判断した場合には（図４４：Ｓ２８０；ＮＯ）、時間カウンタにより９秒のカウントを行い（図４４：Ｓ１６）、撮影間隔の変更は行わない。したがって、利用者が高校生ではないと判断した場合、つまり利用者が例えば中学生の場合には、撮影間隔は１７秒で一定であり、撮影間隔は変更されない。これは、中学生の場合には、写真シール作成装置１の利用経験が少なく、撮影に慣れていないと考えられるためである。
【０２７５】
制御部２０１は、利用者が高校生であると判断した場合には（図４４：Ｓ２８０；ＹＥＳ）、撮影枚数が４枚目以上か否かを判断する（図４４：Ｓ１５）。制御部２０１は、撮影枚数が４枚目以上ではないと判断した場合には（図４４：Ｓ１５；ＮＯ）、時間カウンタにより９秒のカウントを行う（図４４：Ｓ１６）。したがって、利用者が高校生である場合には、撮影枚数が１枚目から３枚目の場合には、撮影間隔は１７秒となる。
【０２７６】
制御部２０１は、制御部２０１は、撮影枚数が４枚目以上であると判断した場合には（図４４：Ｓ１５；ＹＥＳ）、時間カウンタにより７秒のカウントを行う（図４４：Ｓ１７）。したがって、利用者が高校生であって、撮影枚数が４枚目以降の場合には、撮影間隔は１５秒となる。
【０２７７】
以上のように、本実施形態によれば、利用者の高校生ではない場合には撮影間隔を変更せず、利用者が高校生である場合には、撮影枚数に応じて撮影間隔を変更する。したがて、写真シール作成装置１による撮影に不慣れである中学生には、撮影間隔を変更せずにゆっくりと撮影を可能にし、写真シール作成装置１による撮影に慣れている高校生には、７枚という多い撮影枚数でも、飽きさせることなく撮影を行うことを可能にする。このように、本実施形態によれば、利用者の学生区分に応じて、利用者にとって使い易い写真シール作成装置１を提供することができる。
【０２７８】
同様に、居住地、または設置店舗によっても、写真シール作成装置１による撮影に慣れているか否かを判定することができるので、図４４のステップＳ２８０において、居住地、または設置店舗を判断し、上述のような処理を行ってもよい。居住地、または設置店舗は、事前選択操作部２０のタッチパネルモニタ７１において利用者に入力させてもよいし、写真シール作成装置１を設置する際に、設置者等が基本情報として入力するようにしてもよい。
【０２７９】
また、一緒に撮影する利用者の数が多いと、立ち位置やポーズを決めるのに時間を要することが考えられるため、図４５のステップＳ２８０において、一緒に撮影する利用者の数を判断し、多い場合には、撮影間隔を変更しないようにしてよい。
【０２８０】
なお、本実施形態では、撮影枚数カウンタをインクリメントして、利用者の属性と撮影枚数が何枚目かを判断して撮影間隔を変更したが、本発明はこのような態様に限定される訳ではなく、実施形態２のように、撮影枚数カウンタをデクリメントして、利用者の属性を判断した上で残りの撮影枚数が何枚目かを判断して撮影間隔を変更してもよい。
【０２８１】
なお、本実施形態は、総撮影枚数を７枚とする態様について説明したが、本発明はこのような態様に限定される訳ではなく、総撮影枚数が適宜変更可能である。
【０２８２】
＜実施形態１２＞
次に、本発明の実施形態１２について、図４５を参照しつつ説明する。図４５は、本実施形態の撮影ゲームの全体の流れを示すフローチャートである。図４５は、実施形態１における図１２のフローチャートに対応するものであり、同一の処理には同一のステップ番号を付して説明を省略する。
【０２８３】
本実施形態は、接客状況に応じて、撮影間隔を変更するところが、上述した実施形態と異なる。本実施形態の写真シール作成装置１は、実施形態１の写真シール作成装置１と同様に、事前選択操作部２０と編集ユニット１２とを備えている。
【０２８４】
図４６のフローチャートにおいては、変更部としての制御部２０１は、撮影準備処理（図１２：Ｓ１４）の終了後、事前選択操作部２０において、他の利用者に対する接客が開始されたか否かを判断する（図４５：Ｓ２９０）。制御部２０１は、事前選択操作部２０における接客が開始されたと判断した場合には（図４５：Ｓ２９０；ＹＥＳ）、時間カウンタにより７秒のカウントを行う（図４５：Ｓ１７）。したがって、撮影間隔は１５秒となり、事前選択操作部２０における接客している他の利用者を、できるだけ早く撮影空間Ａ１に移動させることが可能となる。
【０２８５】
制御部２０１は、事前選択操作部２０における接客が開始されていないと判断した場合には（図４５：Ｓ２９０；ＮＯ）、編集ユニット１２において他の利用者による編集が終了したか否かを判断する（図４５：Ｓ３００）。制御部２０１は、編集ユニット１２において他の利用者による編集が終了したと判断した場合には（図４５：Ｓ３００；ＹＥＳ）、時間カウンタにより７秒のカウントを行う（図４５：Ｓ１７）。したがって、撮影間隔は１５秒となり、現在撮影している利用者を、空いている編集ユニット１２にできるだけ早く移動させることが可能となる。
【０２８６】
一方、制御部２０１は、事前選択操作部２０における接客が開始されておらず（図４５：Ｓ２９０；ＮＯ）、編集ユニット１２において他の利用者による編集が終了していないと判断した場合には（図４５：Ｓ３００；ＮＯ）、時間カウンタにより９秒のカウントを行う（図４５：Ｓ１６）。したがって、撮影間隔は１７秒となる。
【０２８７】
以上のように、本実施形態によれば、事前選択操作部２０による接客が開始された場合、または、編集ユニット１２において他の利用者による編集が終了した場合には、撮影間隔を短くする。したがって、写真シール作成装置１を効率良く使用させることができ、回転率を上げることができる。
【０２８８】
なお、本実施形態は、総撮影枚数を７枚とする態様について説明したが、本発明はこのような態様に限定される訳ではなく、総撮影枚数が適宜変更可能である。
【０２８９】
＜実施形態１３＞
次に、本発明の実施形態１３について、図４６を参照しつつ説明する。図４６は、本実施形態の撮影ゲームの全体の流れを示すフローチャートである。図４６は、実施形態１における図１２のフローチャートに対応するものであり、同一の処理には同一のステップ番号を付して説明を省略する。
【０２９０】
本実施形態は、撮影コースに応じて、撮影間隔を変更するところが上述した実施形態と異なる。撮影コースとしては、人数を選択する人数コース、あるいは、画像処理を選択する写りコース等がある。一例として、写りコースが選択されたか否かに応じて撮影間隔を変更する態様について説明する。写りコースとは、画像処理のパラメータを選択するコースで、例えば、綺麗コース、あるいは、可愛いコース等がある。綺麗コースが選択された場合には、落ち着いて撮影をすることが好まれると考えられるので、撮影間隔を長くする。撮影間隔は、利用者の人数に応じて変更するようにしてもよい。例えば、人数が１名増えるごとに、人数×ｔ秒の時間を増加させてもよい。これは、人数が増えると、画角に入った際のポーズ決め等が大事になり、そのための所要時間が増えるためである。
【０２９１】
図４６のフローチャートにおいては、変更部としての制御部２０１は、撮影準備処理（図１２：Ｓ１４）の終了後、綺麗コースが選択されたか否かを判断する（図４６：Ｓ３１０）。制御部２０１は、綺麗コースが選択されたと判断した場合には（図４６：Ｓ３１０；ＹＥＳ）、時間カウンタにより９秒のカウントを行う（図４６：Ｓ１６）。したがって、撮影間隔は１７秒となり、利用者は落ち着いて撮影をすることができる。
【０２９２】
制御部２０１は、綺麗コースが選択されていないと判断した場合には（図４６：Ｓ３１０；ＮＯ）、時間カウンタにより７秒のカウントを行う（図４６：Ｓ１７）。したがって、撮影間隔は１５秒となる。
【０２９３】
綺麗コースの代わりに、図４６のステップＳ３１０において、可愛いコースが選択されたか否かを判断し、可愛いコースが選択された場合には、撮影間隔を短く、可愛いコースが選択されていない場合には、撮影間隔を長くしてもよい。
【０２９４】
また、人数コースが選択された場合には、図４６のステップＳ３１０において、人数コースが選択されたか否かを判断し、人数に応じて、撮影間隔を短く、または撮影間隔を長くしてもよい。
【０２９５】
以上のようなコース選択の他、撮影間隔の長さを直接選択させるようにしてもよい。例えば、Ａコースは撮影間隔が長いコース、Ｂコースは撮影間隔が短いコースというように、いずれかのコースを選択させる。この場合には、図４６のステップＳ３１０において、Ａコースが選択されたか、あるいはＢコースが選択されたかを判断し、Ａコースが選択された場合には、撮影間隔を長く、また、Ｂコースが選択された場合には、撮影間隔を短くすればよい。
【０２９６】
以上のように、本実施形態によれば、撮影コースに応じて撮影間隔を変更するので、利用者の要望に応じた撮影の可能な写真シール作成装置１を提供することができる。
【０２９７】
＜実施形態１４＞
次に、本発明の実施形態１４について、図４７を参照しつつ説明する。図４７は、本実施形態の撮影ゲームの全体の流れを示すフローチャートである。図４７は、実施形態１における図１２のフローチャートに対応するものであり、同一の処理には同一のステップ番号を付して説明を省略する。
【０２９８】
本実施形態は、前景画像の有無に応じて、撮影間隔の変更を行うところが上述した実施形態と異なる。前景画像とは、例えば、帽子の画像等であり、利用者は帽子の画像に自分の顔を合わせる必要があるため、このような前景画像がある撮影が選択された場合には、撮影間隔を長くする。
【０２９９】
図４７のフローチャートにおいては、変更部としての制御部２０１は、撮影準備処理（図１２：Ｓ１４）の終了後、前景画像があるかどうかを判断する（図４７：Ｓ３２０）。制御部２０１は、前景画像があると判断した場合には（図４７：Ｓ３２０；ＹＥＳ）、時間カウンタにより９秒のカウントを行う（図４７：Ｓ１６）。したがって、撮影間隔は１７秒となり、利用者は、余裕を持って帽子等の前景画像に合わせることができる。
【０３００】
制御部２０１は、前景画像がないと判断した場合には（図４７：Ｓ３２０；ＮＯ）、時間カウンタにより７秒のカウントを行う（図４７：Ｓ１７）。したがって、撮影間隔は１５秒となる。
【０３０１】
以上のような前景画像の他にも、利用者の顔に合成される前景画像が選ばれる場合がある。例えば、利用者の顔認識を行って、利用者の顔に猫耳等の画像を合成するような場合である。この場合には、図４７のステップＳ３２０において、顔に合成される前景画像があるか否かを判断し、顔に合成される前景画像がある場合には、撮影間隔を長くして、顔に合成される前景画像がない場合には、撮影間隔を短くすればよい。
【０３０２】
また、前景画像の種類に応じて、撮影間隔をさらに細かく変更してもよい。例えば、図４７のステップＳ３２０において、前景画像の有無を判断し、前景画像ある場合には、さらにどのような前景画像かを判断して、例えば、顔に合成される前景画像がある場合には、最も撮影間隔を長くする。また、前景画像はあるが、顔に合成される前景画像ではない場合には、次に撮影間隔を長くする。そして、前景画像がない場合には、撮影間隔を最も短くするように構成してもよい。
【０３０３】
以上のように、本実施形態によれば、前景画像の有無に応じて撮影間隔を変更するので、利用者が利用し易く、適切な画像を撮影することのできる写真シール作成装置１を提供することができる。
【０３０４】
＜実施形態１５＞
次に、本発明の実施形態１５について、図４８を参照しつつ説明する。図４８は、本実施形態の撮影ゲームの全体の流れを示すフローチャートである。図４８は、実施形態１における図１２のフローチャートに対応するものであり、同一の処理には同一のステップ番号を付して説明を省略する。
【０３０５】
本実施形態は、メンテナンス画面で撮影間隔を設定するところが上述した実施形態と異なる。メンテナンス画面とは、ゲームの条件を設定できる画面であり、この画面をアミューズメント施設の店員に表示することで、自由に変更させる。
【０３０６】
例えば、本実施形態では、メンテナンス画面に、撮影間隔変更ボタンと、何枚目で撮影間隔を変更するかを設定するボタンとを設け、アミューズメント施設の店員等による設定が可能なように構成する。
【０３０７】
図４８のフローチャートにおいては、変更部としての制御部２０１は、撮影準備処理（図１２：Ｓ１４）の終了後、撮影間隔変更ボタンがＯＮか否かを判断する（図４８：Ｓ３３０）。制御部２０１は、撮影間隔変更ボタンがＯＦＦであると判断した場合には（図４９：Ｓ３２０；ＮＯ）、時間カウンタにより９秒のカウントを行い（図４８：Ｓ１６）、撮影間隔の変更は行わない。したがって、撮影間隔は１７秒で一定となる。
【０３０８】
制御部２０１は、撮影間隔変更ボタンがＯＮであると判断した場合には（図４８：Ｓ３２０；ＹＥＳ）、現在撮影しようとしている枚数が、何枚目で撮影間隔を変更するかを設定するボタンで設定されたｎ枚目以上か否かを判断する（図４８：Ｓ３４０）。制御部２０１は、現在撮影しようとしている枚数が、ｎ枚目に達していないと判断した場合には（図４８：Ｓ３４０；ＮＯ）、時間カウンタにより９秒のカウントを行う（図４８：Ｓ１６）。したがって、１枚目からｎ−１枚目までは撮影間隔は１７秒となる。
【０３０９】
制御部２０１は、現在撮影しようとしている枚数が、ｎ枚目以上であると判断した場合には（図４８：Ｓ３４０；ＹＥＳ）、時間カウンタにより７秒のカウントを行う（図４８：Ｓ１７）。したがって、ｎ枚目以上の撮影間隔は１５秒となる。
【０３１０】
なお、何枚目で撮影間隔を変更するかを設定するボタンは省略可能である。このボタンを省略した場合には、撮影間隔を変更する枚数を予め決めておけばよい。さらに、メンテナンス画面に、撮影間隔を任意に入力できるボタンを設け、撮影間隔を任意に入力するようにしてもよい。あるいは、メンテナンス画面に、ゆっくりボタンと、早くボタンを設け、ゆっくりボタンを選択した場合には、撮影間隔を例えば１８秒〜２０秒で設定できるようにし、早くボタンを選択した場合には、撮影間隔を例えば１５秒〜１７秒で設定できるようにしてもよい。
【０３１１】
以上のように、本実施形態によれば、メンテナンス画面で撮影間隔の変更を設定することができるので、写真シール作成装置１の設置場所等に応じて撮影間隔の変更の有無等をすることにより、写真シール作成装置１の設置者の要望に適合した写真シール作成装置１を提供することができる。
【０３１２】
なお、本実施形態では、撮影枚数カウンタをインクリメントして、撮影間隔変更ボタンがＯＮの場合に撮影間隔を変更したが、本発明はこのような態様に限定される訳ではなく、実施形態２のように、撮影枚数カウンタをデクリメントして、撮影間隔変更ボタンがＯＮの場合に残りの撮影枚数が何枚目かを判断して撮影間隔を変更してもよい。
【０３１３】
＜変形例＞
以上の実施形態は例示であり、この発明の範囲から離れることなく様々な変形が可能である。例えば、上述した各実施形態を適宜組み合わせてもよい。例えば、実施形態７においては、利用者の性別に応じて、９秒カウントするか７秒カウントするかを選択する態様について説明したが、実施形態７と実施形態１または実施形態２とを組み合わせてもよい。この場合には、利用者の性別が男性の場合には、撮影間隔を１７秒で一定とし、女性の場合には、撮影枚数に応じて９秒カウントと７秒カウントとを選択するようにしてもよい。
【０３１４】
また、手動で撮影間隔を切り替えるようにしてもよい。例えば、セルフシャッタボタンと、スライドバー等とを設け、セルフシャッタボタンについては、撮影間隔を切り替えるのではなく、撮影のタイミングを決定するように構成する。そして、スライドバー等を操作することにより、セルフシャッタボタンを操作した以降の撮影間隔を変更できるようにしてもよい。
【０３１５】
（ソフトウェアによる実現例）
写真シール作成装置１の機能ブロックは、集積回路（ＩＣチップ）等に形成された論理回路（ハードウェア）によって実現してもよいし、ＣＰＵ（Central Processing Unit）を用いてソフトウェアによって実現してもよい。
【０３１６】
後者の場合、写真シール作成装置１は、各機能を実現するソフトウェアであるプログラムの命令を実行するＣＰＵ、前記プログラムおよび各種データがコンピュータ（またはＣＰＵ）で読み取り可能に記録されたＲＯＭ（Read Only Memory）または記憶装置（これらを「記録媒体」と称する）、前記プログラムを展開するＲＡＭ（Random Access Memory）などを備えている。そして、コンピュータ（またはＣＰＵ）が前記プログラムを前記記録媒体から読み取って実行することにより、本発明の目的が達成される。前記記録媒体としては、「一時的でない有形の媒体」、例えば、テープ、ディスク、カード、半導体メモリ、プログラマブルな論理回路などを用いることができる。また、前記プログラムは、該プログラムを伝送可能な任意の伝送媒体（通信ネットワークや放送波等）を介して前記コンピュータに供給されてもよい。なお、本発明は、前記プログラムが電子的な伝送によって具現化された、搬送波に埋め込まれたデータ信号の形態でも実現され得る。
【０３１７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０３１８】
１      写真シール作成装置
１２    編集ユニット
２０    事前選択操作部
７１    タッチパネルモニタ
９１    カメラ
９２    タッチパネルモニタ
２０１  制御部
２２０  撮影部
２３０  編集部
３０２  撮影処理部
３０２ａ  計測部
３０５  編集処理部
４００  スタート画面
４１０  撮影枚数の案内画面
４２０  撮影枚数の案内画面
４３０  位置誘導画面
４４０  位置誘導画面
４５１  中央表示エリア
４５２  ライブビュー表示
４５３  右側表示エリア
４５４  左表示エリア
４５５  サンプルポーズ
４５６  サムネイル表示エリア
４５７  撮影枚数表示アイコン
４６０  ポップアップ画面
Ａ１    撮影空間
【図１】
2020021004.tif 000003
【図２】
2020021004.tif 000004
【図３】
2020021004.tif 000005
【図４】
2020021004.tif 000006
【図５】
2020021004.tif 000007
【図６】
2020021004.tif 000008
【図７】
2020021004.tif 000009
【図８】
2020021004.tif 000010
【図９】
2020021004.tif 000011
【図１０】
2020021004.tif 000012
【図１１】
2020021004.tif 000013
【図１２】
2020021004.tif 000014
【図１３】
2020021004.tif 000015
【図１４】
2020021004.tif 000016
【図１５】
2020021004.tif 000017
【図１６】
2020021004.tif 000018
【図１７】
2020021004.tif 000019
【図１８】
2020021004.tif 000020
【図１９】
2020021004.tif 000021
【図２０】
2020021004.tif 000022
【図２１】
2020021004.tif 000023
【図２２】
2020021004.tif 000024
【図２３】
2020021004.tif 000025
【図２４】
2020021004.tif 000026
【図２５】
2020021004.tif 000027
【図２６】
2020021004.tif 000028
【図２７】
2020021004.tif 000029
【図２８】
2020021004.tif 000030
【図２９】
2020021004.tif 000031
【図３０】
2020021004.tif 000032
【図３１】
2020021004.tif 000033
【図３２】
2020021004.tif 000034
【図３３】
2020021004.tif 000035
【図３４】
2020021004.tif 000036
【図３５】
2020021004.tif 000037
【図３６】
2020021004.tif 000038
【図３７】
2020021004.tif 000039
【図３８】
2020021004.tif 000040
【図３９】
2020021004.tif 000041
【図４０】
2020021004.tif 000042
【図４１】
2020021004.tif 000043
【図４２】
2020021004.tif 000044
【図４３】
2020021004.tif 000045
【図４４】
2020021004.tif 000046
【図４５】
2020021004.tif 000047
【図４６】
2020021004.tif 000048
【図４７】
2020021004.tif 000049
【図４８】
2020021004.tif 000050